(57)【要約】  本発明は、チャネル状態情報報告方法であって、端末により、Ｍ個の第１参照信号リソースのＲ個の第１プリコーディング行列指示子ＰＭＩを決定し、Ｒ個の第１ＰＭＩに基づきチャネル品質指示子ＣＱＩを決定するステップであって、Ｍ及びＲは１以上の整数である、ステップと、前記端末により、チャネル状態情報を報告するステップであって、前記チャネル状態情報は、前記Ｒ個の第１ＰＭＩ及びＮ個のＣＱＩを有し、又は前記チャネル状態情報は、前記Ｒ個の第１ＰＭＩ及び１個のＣＱＩを有し、前記Ｒ個の第１ＰＭＩは、第１動作基準に従いＰ個の第２ＰＭＩを決定するために基地局により使用され、前記第２ＰＭＩの次元は前記第１ＰＭＩの次元より大きく、Ｐ及びＮは１以上の整数である、ステップと、を含む方法を開示する。本発明の実施形態は、チャネル状態情報読み出し方法、関連装置を更に提供する。本発明の実施形態では、ＣＳＩプロセスにおける参照信号リソースオーバヘッドが削減できる。
2019521570.tif 000002
【特許請求の範囲】
【請求項１】
チャネル状態情報報告方法であって、
端末により、Ｍ個の第１参照信号リソースのＲ個の第１プリコーディング行列指示子ＰＭＩを決定し、前記Ｒ個の第１ＰＭＩに基づきチャネル品質指示子ＣＱＩを決定するステップであって、Ｍ及びＲは１以上の整数である、ステップと、
前記端末により、チャネル状態情報を報告するステップであって、前記チャネル状態情報は、前記Ｒ個の第１ＰＭＩ及びＮ個のＣＱＩを有し、又は前記チャネル状態情報は、前記Ｒ個の第１ＰＭＩ及び１個のＣＱＩを含み、前記Ｒ個の第１ＰＭＩは、第１動作基準に従いＰ個の第２ＰＭＩを決定するために基地局により使用され、前記第２ＰＭＩの次元は前記第１ＰＭＩの次元より大きく、Ｐ及びＮは１以上の整数である、ステップと、
を含む方法。
【請求項２】
前記チャネル状態情報が前記Ｒ個の第１ＰＭＩ及び前記Ｎ個のＣＱＩを含む場合、前記Ｒ個の第１ＰＭＩに基づきチャネル品質指示子ＣＱＩを決定する前記ステップは、
前記端末により、前記Ｒ個の第１ＰＭＩ及び前記第１動作基準に基づき、前記Ｐ個の第２ＰＭＩ及び／又は前記Ｎ個のＣＱＩを決定するステップを含む、又は、
前記チャネル状態情報が前記Ｒ個の第１ＰＭＩ及び前記ＣＱＩを含む場合、前記Ｒ個の第１ＰＭＩに基づきチャネル品質指示子ＣＱＩを決定する前記ステップは、
前記端末により、前記Ｒ個の第１ＰＭＩ及び第２動作基準に基づき、１個の第２ＰＭＩ及び１個のＣＱＩを決定するステップを含む、
請求項１に記載の方法。
【請求項３】
前記チャネル状態情報が前記Ｒ個の第１ＰＭＩ及び前記ＣＱＩを含む場合、前記チャネル状態情報は、前記ＣＱＩに対応するＣＱＩインデックス指示子を更に含む、請求項１又は２に記載の方法。
【請求項４】
前記第１動作基準及び前記第２動作基準は前記端末のために前記基地局により構成される、又は前記第１動作基準及び前記第２動作基準は、前記基地局及び前記端末により予め定められる、請求項２又は３に記載の方法。
【請求項５】
前記第１動作基準及び前記第２動作基準は、直積、直和、及び補間のうちの少なくとも１つを含む、請求項１乃至４のいずれか一項に記載の方法。
【請求項６】
前記Ｒ個の第１ＰＭＩは、プリコーディング行列及び／又は第２参照信号リソースのポート数を決定するために前記基地局により使用される、請求項１乃至５のいずれか一項に記載の方法。
【請求項７】
チャネル状態情報報告方法であって、
端末により、チャネル状態情報を決定するステップであって、前記チャネル状態情報は、第１参照信号リソースの第１チャネル状態情報及び第２参照信号リソースの第２チャネル状態情報を含む、ステップと、
前記端末により、前記チャネル状態情報の報告モードを決定し、前記報告モードに基づき前記チャネル状態情報を報告するステップと、
を含む方法。
【請求項８】
前記第１参照信号リソースの期間は、前記第２参照信号リソースの期間より大きい又は等しく、前記第１参照信号リソースのサブフレームオフセットは、前記第２参照信号リソースのサブフレームオフセットと異なる、請求項７に記載の方法。
【請求項９】
前記第１参照信号リソースの測定制限シグナリング及び前記第２参照信号リソースの測定制限シグナリングは、独立して構成される、請求項７又は８に記載の方法。
【請求項１０】
各第１参照信号リソース及び／又は各第２参照信号リソースの送信及び／又は測定制限は、上位レイヤシグナリング又はレイヤ１シグナリングを用いて基地局により通知される、請求項７乃至９のいずれか一項に記載の方法。
【請求項１１】
前記端末により、前記チャネル状態情報を報告する報告モードを決定する前記ステップは、
前記端末により、フィードバック種類指示子に基づき、前記チャネル状態情報を報告する前記報告モードを決定するステップを含む、請求項７乃至１０のいずれか一項に記載の方法。
【請求項１２】
前記チャネル状態情報はランク指示子ＲＩを含み、前記端末により、前記チャネル状態情報を報告する報告モードを決定するステップは、
前記端末により、前記ＲＩを測定する方法に基づき、前記チャネル状態情報の前記報告モードを決定するステップを含む、請求項７乃至１０のいずれか一項に記載の方法。
【請求項１３】
前記第１チャネル状態情報は、ＲＩ及び第１ＰＭＩのうちの少なくとも１つを含み、前記第２チャネル状態情報は、参照信号リソースインデックスＣＲＩ、ＣＱＩ、及び第２ＰＭＩのうちの少なくとも１つを含む、又は、
前記第１チャネル状態情報は、ＲＩ、第１ＰＭＩ、及び第２ＰＭＩのうちの少なくとも１つを含み、前記第２チャネル状態情報は、ＲＩ、ＣＲＩ、ＣＱＩ、第１ＰＭＩ、及び第２ＰＭＩのうちの少なくとも１つを含む、又は、
前記第１チャネル状態情報は、ＲＩ、ＣＱＩ、第１ＰＭＩ、及び第２ＰＭＩのうちの少なくとも１つを含み、前記第２チャネル状態情報は、ＲＩ、ＣＲＩ、ＣＱＩ、第１ＰＭＩ、及び第２ＰＭＩのうちの少なくとも１つを含む、
請求項７乃至１２のいずれか一項に記載の方法。
【請求項１４】
前記第１チャネル状態情報の報告期間は、前記第２チャネル状態情報の報告期間より大きい又は等しい、請求項７乃至１３のいずれか一項に記載の方法。
【請求項１５】
前記第１チャネル状態情報の報告モードは周期的報告モードであり、前記第２チャネル状態情報の報告モードは非周期的報告モードである、又は、
前記第１チャネル状態情報の報告モードは非周期的報告モードであり、前記第２チャネル状態情報の報告モードは周期的報告モードである、
請求項７乃至１４のいずれか一項に記載の方法。
【請求項１６】
前記第１チャネル状態情報は、Ｑ個の第１ＰＭＩ又はＪ個のＣＲＩを含み、Ｑ及びＪは２以上の整数である、請求項７乃至１５のいずれか一項に記載の方法。
【請求項１７】
チャネル状態情報読み出し方法であって、
基地局により、端末により報告されたチャネル状態情報を読み出すステップであって、前記チャネル状態情報はＲ個の第１ＰＭＩ及びＮ個のＣＱＩを含み、前記チャネル状態情報は前記Ｒ個の第１ＰＭＩ及び１個のＣＱＩを含む、ステップ、を含み、
前記Ｒ個の第１ＰＭＩは、第１動作基準に従いＰ個の第２ＰＭＩを決定するために前記基地局により使用され、前記第２ＰＭＩの次元は前記第１ＰＭＩの次元より大きく、Ｒ、Ｐ、及びＮは、１以上の整数である、方法。
【請求項１８】
前記第１動作基準及び前記第２動作基準は前記端末のために前記基地局により構成される、又は前記第１動作基準及び前記第２動作基準は、前記基地局及び前記端末により予め定められる、請求項１７に記載の方法。
【請求項１９】
前記第１動作基準及び前記第２動作基準は、直積、直和、及び補間のうちの少なくとも１つを含む、請求項１７又は１８に記載の方法。
【請求項２０】
前記方法は、
前記基地局により、前記Ｒ個の第１ＰＭＩに基づき、プリコーディング行列及び／又は第２参照信号リソースのポート数を決定するステップ、
を更に含む請求項１７乃至１９のいずれか一項に記載の方法。
【請求項２１】
チャネル状態情報読み出し方法であって、
基地局により、端末により報告されたチャネル状態情報を読み出すステップであって、前記チャネル状態情報は、第１参照信号リソースの第１チャネル状態情報及び第２参照信号リソースの第２チャネル状態情報を含み、前記チャネル状態情報の報告モードは、前記チャネル状態情報に基づき前記端末により決定される、ステップ、
を含む方法。
【請求項２２】
前記第１参照信号リソースの期間は、前記第２参照信号リソースの期間より大きい又は等しく、前記第１参照信号リソースのサブフレームオフセットは、前記第２参照信号リソースのサブフレームオフセットと異なる、請求項２１に記載の方法。
【請求項２３】
前記第１参照信号リソースの測定制限シグナリング及び前記第２参照信号リソースの測定制限シグナリングは、独立して構成される、請求項２１又は２２に記載の方法。
【請求項２４】
各第１参照信号リソース及び／又は各第２参照信号リソースの送信及び／又は測定制限は、上位レイヤシグナリング又はレイヤ１シグナリングを用いて前記基地局により通知される、請求項２１乃至２２のいずれか一項に記載の方法。
【請求項２５】
端末であって、
Ｍ個の第１参照信号リソースのＲ個の第１プリコーディング行列指示子ＰＭＩを決定し、前記Ｒ個の第１ＰＭＩに基づきチャネル品質指示子ＣＱＩを決定するよう構成される決定モジュールであって、Ｍ及びＲは１以上の整数である、決定モジュールと、
チャネル状態情報を報告するよう構成される報告モジュールであって、前記チャネル状態情報は、前記Ｒ個の第１ＰＭＩ及びＮ個のＣＱＩを含み、又は前記チャネル状態情報は、前記Ｒ個の第１ＰＭＩ及び１個のＣＱＩを含み、前記Ｒ個の第１ＰＭＩは、第１動作基準に従いＰ個の第２ＰＭＩを決定するために基地局により使用され、前記第２ＰＭＩの次元は前記第１ＰＭＩの次元より大きく、Ｐ及びＮは１以上の整数である、報告モジュールと、
を含む端末。
【請求項２６】
前記チャネル状態情報が前記Ｒ個の第１ＰＭＩ及び前記Ｎ個のＣＱＩを含む場合、前記決定モジュールは、具体的に、前記Ｒ個の第１ＰＭＩ及び前記第１動作基準に基づき、前記Ｐ個の第２ＰＭＩ及び／又は前記Ｎ個のＣＱＩを決定するよう構成される、又は、
前記チャネル状態情報が前記Ｒ個の第１ＰＭＩ及び前記ＣＱＩを含む場合、前記決定モジュールは、具体的に、前記Ｒ個の第１ＰＭＩ及び第２動作基準に基づき、１個の第２ＰＭＩ及び１個のＣＱＩを決定するよう構成される、
請求項２５に記載の端末。
【請求項２７】
前記チャネル状態情報が前記Ｒ個の第１ＰＭＩ及び前記ＣＱＩを含む場合、前記チャネル状態情報は、前記ＣＱＩに対応するＣＱＩインデックス指示子を更に含む、請求項２５又は２６に記載の端末。
【請求項２８】
前記第１動作基準及び前記第２動作基準は前記端末のために前記基地局により構成される、又は前記第１動作基準及び前記第２動作基準は、前記基地局及び前記端末により予め定められる、請求項２６又は２７に記載の端末。
【請求項２９】
前記第１動作基準及び前記第２動作基準は、直積、直和、及び補間のうちの少なくとも１つを含む、請求項２５乃至２８のいずれか一項に記載の端末。
【請求項３０】
前記Ｒ個の第１ＰＭＩは、プリコーディング行列及び／又は第２参照信号リソースのポート数を決定するために前記基地局により使用される、請求項２５乃至２９のいずれか一項に記載の端末。
【請求項３１】
端末であって、
チャネル状態情報を決定するよう構成される第１決定モジュールであって、前記チャネル状態情報は、第１参照信号リソースの第１チャネル状態情報及び第２参照信号リソースの第２チャネル状態情報を含む、第１決定モジュールと、
前記チャネル状態情報の報告モードを決定するよう構成される第２決定モジュールと、
前記第２決定モジュールにより決定された前記報告モードに基づき、前記チャネル状態情報を報告するよう構成される報告モジュールと、
を含む端末。
【請求項３２】
前記第１参照信号リソースの期間は、前記第２参照信号リソースの期間より大きい又は等しく、前記第１参照信号リソースのサブフレームオフセットは、前記第２参照信号リソースのサブフレームオフセットと異なる、請求項３１に記載の端末。
【請求項３３】
前記第１参照信号リソースの測定制限シグナリング及び前記第２参照信号リソースの測定制限シグナリングは、独立して構成される、請求項３１又は３２に記載の端末。
【請求項３４】
各第１参照信号リソース及び／又は各第２参照信号リソースの送信及び／又は測定制限は、上位レイヤシグナリング又はレイヤ１シグナリングを用いて基地局により通知される、請求項３１乃至３３のいずれか一項に記載の端末。
【請求項３５】
前記第２決定モジュールは、具体的に、フィードバック種類指示子に基づき、前記チャネル状態情報を報告する前記報告モードを決定するよう構成される、請求項３１乃至３４のいずれか一項に記載の端末。
【請求項３６】
前記チャネル状態情報はランク指示子ＲＩを含み、前記第２決定モジュールは、具体的に、前記ＲＩを測定する方法に基づき、前記チャネル状態情報の前記報告モードを決定するよう構成される、請求項３１乃至３４のいずれか一項に記載の端末。
【請求項３７】
前記第１チャネル状態情報は、ＲＩ及び第１ＰＭＩのうちの少なくとも１つを含み、前記第２チャネル状態情報は、参照信号リソースインデックスＣＲＩ、ＣＱＩ、及び第２ＰＭＩのうちの少なくとも１つを含む、又は、
前記第１チャネル状態情報は、ＲＩ、第１ＰＭＩ、及び第２ＰＭＩのうちの少なくとも１つを含み、前記第２チャネル状態情報は、ＲＩ、ＣＲＩ、ＣＱＩ、第１ＰＭＩ、及び第２ＰＭＩのうちの少なくとも１つを含む、又は、
前記第１チャネル状態情報は、ＲＩ、ＣＱＩ、第１ＰＭＩ、及び第２ＰＭＩのうちの少なくとも１つを含み、前記第２チャネル状態情報は、ＲＩ、ＣＲＩ、ＣＱＩ、第１ＰＭＩ、及び第２ＰＭＩのうちの少なくとも１つを含む、
請求項３１乃至３６のいずれか一項に記載の端末。
【請求項３８】
前記第１チャネル状態情報の報告期間は、前記第２チャネル状態情報の報告期間より大きい又は等しい、請求項３１乃至３７のいずれか一項に記載の端末。
【請求項３９】
前記第１チャネル状態情報の報告モードは周期的報告モードであり、前記第２チャネル状態情報の報告モードは非周期的報告モードである、又は、
前記第１チャネル状態情報の報告モードは非周期的報告モードであり、前記第２チャネル状態情報の報告モードは周期的報告モードである、
請求項３１乃至３８のいずれか一項に記載の端末。
【請求項４０】
前記第１チャネル状態情報は、Ｑ個の第１ＰＭＩ又はＪ個のＣＲＩを含み、Ｑ及びＪは２以上の整数である、請求項３１乃至３９のいずれか一項に記載の端末。
【請求項４１】
基地局であって、
端末により報告されたチャネル状態情報を読み出すよう構成される読み出しモジュールであって、前記チャネル状態情報はＲ個の第１ＰＭＩ及びＮ個のＣＱＩを含み、前記チャネル状態情報は前記Ｒ個の第１ＰＭＩ及び１個のＣＱＩを含み、前記Ｒ個の第１ＰＭＩは、第１動作基準に従いＰ個の第２ＰＭＩを決定するために前記基地局により使用され、前記第２ＰＭＩの次元は前記第１ＰＭＩの次元より大きく、Ｒ、Ｐ、及びＮは、１以上の整数である、読み出しモジュール、
を含む基地局。
【請求項４２】
前記第１動作基準及び前記第２動作基準は前記端末のために前記基地局により構成される、又は前記第１動作基準及び前記第２動作基準は、前記基地局及び前記端末により予め定められる、請求項４１に記載の基地局。
【請求項４３】
前記第１動作基準及び前記第２動作基準は、直積、直和、及び補間のうちの少なくとも１つを含む、請求項４１又は４２に記載の基地局。
【請求項４４】
前記基地局は、
前記Ｒ個の第１ＰＭＩに基づき、プリコーディング行列及び／又は第２参照信号リソースのポート数を決定するよう構成される決定モジュール、
を更に含む請求項４１乃至４３のいずれか一項に記載の基地局。
【請求項４５】
基地局であって、
端末により報告されたチャネル状態情報を読み出すよう構成される読み出しモジュールであって、前記チャネル状態情報は、第１参照信号リソースの第１チャネル状態情報及び第２参照信号リソースの第２チャネル状態情報を含み、前記チャネル状態情報の報告モードは、前記チャネル状態情報に基づき前記端末により決定される、読み出しモジュール、
を含む基地局。
【請求項４６】
前記第１参照信号リソースの期間は、前記第２参照信号リソースの期間より大きい又は等しく、前記第１参照信号リソースのサブフレームオフセットは、前記第２参照信号リソースのサブフレームオフセットと異なる、請求項４５に記載の基地局。
【請求項４７】
前記第１参照信号リソースの測定制限シグナリング及び前記第２参照信号リソースの測定制限シグナリングは、独立して構成される、請求項４５又は４６に記載の基地局。
【請求項４８】
各第１参照信号リソース及び／又は各第２参照信号リソースの送信及び／又は測定制限は、上位レイヤシグナリング又はレイヤ１シグナリングを用いて前記基地局により通知される、請求項４５又は４６に記載の基地局。
【発明の詳細な説明】
【技術分野】
【０００１】
本発明は、通信技術の分野に関し、特に、チャネル状態情報報告方法、チャネル状態情報読み出し方法、及び関連装置に関する。
【背景技術】
【０００２】
チャネル状態情報−参照信号（Channel  State  Information-Reference  Signal、ＣＳＩ−ＲＳ）は、第３世代パートナシッププロジェクト（the  ３rd  Generation  Partnership  Project、３ＧＰＰ）ロングタームエボリューション（Long  Term  Evolution、ＬＴＥ）システムにおいてチャネル状態情報測定用の参照信号として使用される。スペクトル効率を更に向上するために、より多くのアンテナ構成、特にアクティブアンテナシステム（Active  Antenna  Systems、ＡＡＳ）に基づく８個のアンテナポートより多くのアンテナ構成が、現在のＬＴＥ  Ｒ１３標準で導入されている。例えば、１６、３２、又は６４個のアンテナポートがあり得る。
【０００３】
従来技術では、ＣＳＩ報告種類Ａ及びＣＳＩ報告種類Ｂの両方がサポートされる。ＣＳＩ報告種類ＡにおけるＣＳＩ測定は、非ビーム形成ＣＳＩ−ＲＳリソースに基づき、ＣＳＩ報告種類ＢにおけるＣＳＩ測定は、ビーム形成ＣＳＩ−ＲＳリソースに基づく。非ビーム形成ＣＳＩ−ＲＳリソースに対応するＣＳＩプロセスは種類ＡのＣＳＩプロセスであり、ビーム形成ＣＳＩ−ＲＳリソースに対応するＣＳＩプロセスは種類ＢのＣＳＩプロセスである。アンテナポートの数が増大するにつれ、種類ＡのＣＳＩプロセスにおける参照信号リソースオーバヘッドが相応して増大する。
【発明の概要】
【０００４】
本発明の実施形態は、ＣＳＩプロセスにおける参照信号リソースオーバヘッドを削減するために、チャネル状態情報報告方法、チャネル状態情報読み出し方法、及び関連装置を提供する。
【０００５】
第１の態様によると、本発明の一実施形態は、チャネル状態情報報告方法であって、  端末により、Ｍ個の第１参照信号リソースに対しチャネル品質測定を実行して、Ｒ個の第１ＰＭＩを取得するステップと、次に、前記端末により、前記Ｒ個の第１ＰＭＩに基づきＣＱＩを決定するステップと、最後に、前記端末により、チャネル状態情報を報告するステップと、を含み、前記チャネル状態情報は、前記Ｒ個の第１ＰＭＩ及びＮ個のＣＱＩを含み、又は前記Ｒ個の第１ＰＭＩ及び１個のＣＱＩを含む、方法を提供する。さらに、前記Ｒ個の第１ＰＭＩは、第１動作基準に従いＰ個の第２ＰＭＩを決定するために、基地局により使用されて良い。前記第１ＰＭＩの次元は前記第２ＰＭＩの次元より少なく、これは、第１参照信号リソースに対応するポートの数が送信を実行しようとする合計アンテナポート数より少ないことを反映する。したがって、リソースオーバヘッドが削減できる。
【０００６】
第１の態様を参照して、可能な実装では、前記報告されたチャネル状態情報が前記Ｒ個の第１ＰＭＩ及び前記Ｎ個のＣＱＩを含む場合、前記Ｒ個の第１ＰＭＩに基づきチャネル品質指示子ＣＱＩを決定する前記ステップは、具体的に、前記端末により、前記Ｒ個の第１ＰＭＩ及び前記第１動作基準に基づき、前記Ｐ個の第２ＰＭＩ及び／又は前記Ｎ個のＣＱＩを決定するステップとして実装され、又は、  前記チャネル状態情報が前記Ｒ個の第１ＰＭＩ及び前記ＣＱＩを含む場合、前記Ｒ個の第１ＰＭＩに基づきチャネル品質指示子ＣＱＩを決定する前記ステップは、具体的に、前記端末により、前記Ｒ個の第１ＰＭＩ及び第２動作基準に基づき、１個の第２ＰＭＩ及び１個のＣＱＩを決定するステップとして実装される。
【０００７】
第１の態様を参照して、可能な実装では、前記報告されたチャネル状態情報が前記Ｒ個の第１ＰＭＩ及び前記ＣＱＩを含む場合、前記報告されたチャネル状態情報は、前記ＣＱＩに対応するＣＱＩインデックス指示子を更に含む。前記ＣＱＩインデックス指示子は、前記Ｒ個の第１ＰＭＩに基づき前記ＣＱＩを取得する動作基準に対応する。前記端末は、前記ＣＱＩを取得するために前記第１動作基準を前記基地局に通知するために、前記ＣＱＩに対応する前記ＣＱＩインデックス指示子を報告する。
【０００８】
第１の態様を参照して、可能な実装では、前記第１動作基準及び前記第２動作基準は前記端末のために前記基地局により構成される、又は前記第１動作基準及び前記第２動作基準は、前記基地局及び前記端末により予め定められる。
【０００９】
第１の態様を参照して、可能な実装では、前記第１動作基準及び前記第２動作基準は、直積、直和、及び補間のうちの少なくとも１つを含む。
【００１０】
第１の態様を参照して、可能な実装では、前記Ｒ個の第１ＰＭＩは、プリコーディング行列及び／又は第２参照信号リソースのポート数を決定するために前記基地局により使用される。具体的に、前記基地局は、前記第２参照信号リソース上のビーム形成のために前記Ｒ個の第１ＰＭＩを使用する。前記第１参照信号リソース及び前記第２参照信号リソースは、異なる種類の参照リソースである。前記第１参照信号リソースは種類Ａの非ビーム形成参照信号リソースであり、前記第２参照信号リソースは種類Ｂのビーム形成参照信号リソースである。前記種類Ｂの前記参照信号リソースに対するビーム形成は、前記種類Ａの前記参照信号リソースを測定することにより訓練できる。したがって、前記種類Ｂの前記参照信号リソースに作用する前記ビーム形成の精度は効果的に向上し、前記種類Ｂの前記参照信号リソースに基づくシステム性能は更に向上する。
【００１１】
第２の態様によると、本発明の一実施形態は、チャネル状態情報報告方法であって、  端末により、チャネル状態情報を決定するステップであって、前記チャネル状態情報は、第１参照信号リソースの第１チャネル状態情報及び第２参照信号リソースの第２チャネル状態情報を含む、ステップと、  次に、記端末により、前記チャネル状態情報の報告モードを決定し、前記報告モードに基づき前記チャネル状態情報を報告するステップと、を含む方法を提供する。前記第１チャネル状態情報は、ゆっくり変化する且つ長期のチャネル状態情報であり、前記第２チャネル状態情報は、速く変化する且つ短期のチャネル状態情報である。したがって、前記第１チャネル状態情報に対応する前記第１参照信号リソースは、比較的長い送信期間を有して良く、前記第１参照信号リソースのアンテナポートは、合計アンテナポートのうちの一部だけであって良く、したがってリソースオーバヘッドを削減する。さらに、前記第２チャネル状態情報に対応する前記第２参照信号リソースは、前記第１チャネル状態情報に基づき決定される。例えば、前記第２参照信号リソースに作用するビーム形成は、前記第１チャネル状態情報内のプリコーディング行列指示子情報に基づき、前記第２参照信号リソースのポート数は、前記第１チャネル状態情報内のランク指示子に基づく。したがって、前記第２参照信号リソースに作用するビーム形成及びシステム性能が効果的に向上する。
【００１２】
第２の態様を参照して、可能な設計では、前記第１参照信号リソースの期間は、前記第２参照信号リソースの期間より大きい又は等しく、前記第１参照信号リソースのサブフレームオフセットは、前記第２参照信号リソースのサブフレームオフセットと異なる。前記第１参照信号リソースが相対的に長い送信期間を有するように、前記第１参照信号リソースの送信時間は前記第２参照信号リソースの送信時間と分離され、時間ドメイン次元における第１参照信号リソースオーバヘッドを削減する。
【００１３】
第２の態様を参照して、可能な設計では、前記第１参照信号リソースの測定制限シグナリング及び前記第２参照信号リソースの測定制限シグナリングは、独立して構成される。
【００１４】
第２の態様を参照して、可能な設計では、各第１参照信号リソース及び／又は各第２参照信号リソースの送信及び／又は測定制限は、上位レイヤシグナリング又はレイヤ１シグナリングを用いて基地局により通知される。
【００１５】
第２の態様を参照して、可能な設計では、前記端末により、前記チャネル状態情報を報告する報告モードを決定する前記ステップは、前記端末により、フィードバック種類指示子に基づき、前記チャネル状態情報を報告する前記報告モードを決定するステップを含む。
【００１６】
第２の態様を参照して、可能な設計では、前記報告されたチャネル状態情報はＲＩを含み、前記端末により、前記チャネル状態情報を報告する報告モードを決定する前記ステップは、具体的に、前記端末により、前記ＲＩを測定する方法に基づき、前記チャネル状態情報を報告する前記報告モードを決定するステップとして実装される。
【００１７】
第２の態様を参照して、可能な設計では、前記第１チャネル状態情報は、ＲＩ及び第１ＰＭＩのうちの少なくとも１つを含み、前記第２チャネル状態情報は、参照信号リソースインデックスＣＲＩ、ＣＱＩ、及び第２ＰＭＩのうちの少なくとも１つを含む、又は、  前記第１チャネル状態情報は、ＲＩ、第１ＰＭＩ、及び第２ＰＭＩのうちの少なくとも１つを含み、前記第２チャネル状態情報は、ＲＩ、ＣＲＩ、ＣＱＩ、第１ＰＭＩ、及び第２ＰＭＩのうちの少なくとも１つを含む、又は、  前記第１チャネル状態情報は、ＲＩ、ＣＱＩ、第１ＰＭＩ、及び第２ＰＭＩのうちの少なくとも１つを含み、前記第２チャネル状態情報は、ＲＩ、ＣＲＩ、ＣＱＩ、第１ＰＭＩ、及び第２ＰＭＩのうちの少なくとも１つを含む。
【００１８】
第２の態様を参照して、可能な設計では、前記第１チャネル状態情報の報告期間は、前記第２チャネル状態情報の報告期間より長い又はそれに等しい。前記第１参照信号リソースが相対的に長い送信期間を有するように、前記第１参照信号リソースの送信時間は前記第２参照信号リソースの送信時間と分離され、時間ドメイン次元における第１参照信号リソースオーバヘッドを削減する。
【００１９】
第２の態様を参照して、可能な設計では、前記第１チャネル状態情報の報告モードは周期的報告モードであり、前記第２チャネル状態情報の報告モードは非周期的報告モードである、又は、  前記第１チャネル状態情報の報告モードは非周期的報告モードであり、前記第２チャネル状態情報の報告モードは周期的報告モードである。
【００２０】
第２の態様を参照して、可能な設計では、前記第１チャネル状態情報は、Ｑ個の第１ＰＭＩ又はＪ個のＣＲＩを含み、Ｑ及びＪは２以上の整数である。
【００２１】
第３の態様によると、本発明の一実施形態は、チャネル状態情報読み出し方法であって、基地局により、端末により報告されたチャネル状態情報を読み出すステップであって、前記チャネル状態情報はＲ個の第１ＰＭＩ及びＮ個のＣＱＩを含み、又は前記チャネル状態情報はＲ個の第１ＰＭＩ及び１個のＣＱＩを含み、前記Ｒ個の第１ＰＭＩは第１動作基準に従いＰ個の第２ＰＭＩを決定するために前記基地局により使用される、ステップを含む方法を提供する。前記第１ＰＭＩの次元は前記第２ＰＭＩの次元より少なく、これは、第１参照信号リソースに対応するポートの数が送信を実行しようとする合計アンテナポート数より少ないことを反映する。したがって、リソースオーバヘッドが削減できる。
【００２２】
第３の態様を参照して、可能な実装では、前記第１動作基準及び前記第２動作基準は前記端末のために前記基地局により構成される、又は前記第１動作基準及び前記第２動作基準は、前記基地局及び前記端末により予め定められる。
【００２３】
第３の態様を参照して、可能な実装では、前記第１動作基準及び前記第２動作基準は、直積、直和、及び補間のうちの少なくとも１つを含む。
【００２４】
第３の態様を参照して、可能な実装では、前記方法は、前記基地局により、前記Ｒ個の第１ＰＭＩに基づき、プリコーディング行列及び／又は第２参照信号リソースのポート数を決定するステップ、を更に含む。具体的に、前記基地局は、前記第２参照信号リソース上のビーム形成のために前記Ｒ個の第１ＰＭＩを使用する。前記第１参照信号リソース及び前記第２参照信号リソースは、異なる種類の参照リソースである。前記第１参照信号リソースは種類Ａの非ビーム形成参照信号リソースであり、前記第２参照信号リソースは種類Ｂのビーム形成参照信号リソースである。前記種類Ｂの前記参照信号リソースに対するビーム形成は、前記種類Ａの前記参照信号リソースを測定することにより訓練でき。したがって、前記種類Ｂの前記参照信号リソースに作用する前記ビーム形成の精度は効果的に向上し、前記種類Ｂの前記参照信号リソースに基づくシステム性能は更に向上することが分かる。
【００２５】
第４の態様によると、本発明の一実施形態は、チャネル状態情報読み出し方法であって、  基地局により、端末により報告されたチャネル状態情報を読み出すステップであって、前記チャネル状態情報は、第１参照信号リソースの第１チャネル状態情報及び第２参照信号リソースの第２チャネル状態情報を含み、前記チャネル状態情報の報告モードは、前記チャネル状態情報に基づき前記端末により決定される、ステップ、を含む方法を提供する。
【００２６】
第４の態様を参照して、可能な設計では、前記第１参照信号リソースの期間は、前記第２参照信号リソースの期間より大きい又は等しく、前記第１参照信号リソースのサブフレームオフセットは、前記第２参照信号リソースのサブフレームオフセットと異なる。
【００２７】
第４の態様を参照して、可能な設計では、前記第１参照信号リソースの測定制限シグナリング及び前記第２参照信号リソースの測定制限シグナリングは、独立して構成される。
【００２８】
第４の態様を参照して、可能な設計では、各第１参照信号リソース及び／又は各第２参照信号リソースの送信及び／又は測定制限は、上位レイヤシグナリング又はレイヤ１シグナリングを用いて前記基地局により通知される。
【００２９】
第４の態様を参照して、可能な設計では、前記第１チャネル状態情報の報告モードは周期的報告モードであり、前記第２チャネル状態情報の報告モードは非周期的報告モードである、又は、  前記第１チャネル状態情報の報告モードは非周期的報告モードであり、前記第２チャネル状態情報の報告モードは周期的報告モードである。
【００３０】
第４の態様を参照して、可能な設計では、前記第１チャネル状態情報は、Ｑ個の第１ＰＭＩ又はＪ個のＣＲＩを含み、Ｑ及びＪは２以上の整数である。
【００３１】
第５の態様によると、本発明の一実施形態は、第１の態様による方法を実行するよう構成されるモジュールを含む端末を提供する。
【００３２】
第６の態様によると、本発明の一実施形態は、第２の態様による方法を実行するよう構成されるモジュールを含む端末を提供する。
【００３３】
第７の態様によると、本発明の一実施形態は、第３の態様による方法を実行するよう構成されるモジュールを含む基地局を提供する。
【００３４】
第８の態様によると、本発明の一実施形態は、第４の態様による方法を実行するよう構成されるモジュールを含む基地局を提供する。
【００３５】
第９の態様によると、本発明の一実施形態は、端末を提供する。前記端末は、プロセッサを含み、前記プロセッサは、第１の態様によるチャネル状態情報報告方法において対応する機能を実行するのに前記端末を支援するよう構成される。端末は、メモリを更に含んで良い。前記メモリは、前記プロセッサに結合され、前記端末の必要なプログラム命令及びデータを格納するよう構成される。前記端末は、前記端末と別の装置又は通信ネットワークとの間の通信を実行するよう構成される通信インタフェースを更に含んで良い。
【００３６】
第１０の態様によると、本発明の一実施形態は、端末を提供する。前記端末は、プロセッサを含み、前記プロセッサは、第２の態様によるチャネル状態情報報告方法において対応する機能を実行するのに前記端末を支援するよう構成される。端末は、メモリを更に含んで良い。前記メモリは、前記プロセッサに結合され、前記端末の必要なプログラム命令及びデータを格納するよう構成される。前記端末は、前記端末と別の装置又は通信ネットワークとの間の通信を実行するよう構成される通信インタフェースを更に含んで良い。
【００３７】
第１１の態様によると、本発明の一実施形態は、基地局を提供する。前記基地局は、プロセッサを含み、前記プロセッサは、第３の態様によるチャネル状態情報読み出し方法において対応する機能を実行するのに前記基地局を支援するよう構成される。前記基地局は、メモリを更に含んで良い。前記メモリは、前記プロセッサに結合され、前記基地局の必要なプログラム命令及びデータを格納するよう構成される。前記基地局は、前記基地局と別の装置又は通信ネットワークとの間の通信を実行するよう構成される通信インタフェースを更に含んで良い。
【００３８】
第１２の態様によると、本発明の一実施形態は、基地局を提供する。前記基地局は、プロセッサを含み、前記プロセッサは、第４の態様によるチャネル状態情報読み出し方法において対応する機能を実行するのに前記基地局を支援するよう構成される。前記基地局は、メモリを更に含んで良い。前記メモリは、前記プロセッサに結合され、前記基地局の必要なプログラム命令及びデータを格納するよう構成される。前記基地局は、前記基地局と別の装置又は通信ネットワークとの間の通信を実行するよう構成される通信インタフェースを更に含んで良い。
【００３９】
第１３の態様によると、本発明の一実施形態は、コンピュータ記憶媒体を提供する。前記コンピュータ記憶媒体は、第５の態様で提供された端末により使用されるコンピュータソフトウェア命令を格納するよう構成され、コンピュータソフトウェア命令は、前述の態様を実行するよう設計されたプログラムを含む。
【００４０】
第１４の態様によると、本発明の一実施形態は、コンピュータ記憶媒体を提供する。前記コンピュータ記憶媒体は、第６の態様で提供された端末により使用されるコンピュータソフトウェア命令を格納するよう構成され、コンピュータソフトウェア命令は、前述の態様を実行するよう設計されたプログラムを含む。
【００４１】
第１５の態様によると、本発明の一実施形態は、コンピュータ記憶媒体を提供する。前記コンピュータ記憶媒体は、第７の態様で提供された基地局により使用されるコンピュータソフトウェア命令を格納するよう構成され、コンピュータソフトウェア命令は、前述の態様を実行するよう設計されたプログラムを含む。
【００４２】
第１６の態様によると、本発明の一実施形態は、コンピュータ記憶媒体を提供する。前記コンピュータ記憶媒体は、第８の態様で提供された基地局により使用されるコンピュータソフトウェア命令を格納するよう構成され、コンピュータソフトウェア命令は、前述の態様を実行するよう設計されたプログラムを含む。
【００４３】
従来技術と比べて、本発明の実施形態で提供されるソリューションでは、より提示のＰＭＩを用いて、より高次のＰＭＩが得られ、リソースオーバヘッドを削減する。
【００４４】
本発明のこれらの態様又は他の態様は、以下の実施形態の説明においてより簡潔であり且つより分かり易い。
【図面の簡単な説明】
【００４５】
本発明の実施形態の又は従来技術の技術的ソリューションをより明確に説明するために、以下に実施形態又は従来技術の説明に必要な添付の図面を記載する。明らかなことに、以下の説明中の添付の図面は、本発明のほんの一部の実施形態であり、これらの図面に従って当業者により創造的労力を有しないで他の図面も得られる。
【００４６】
【図１】本発明の一実施形態による通信システムの概略図である。
【００４７】
【図２】本発明の一実施形態によるチャネル状態情報報告方法の概略フローチャートである。
【００４８】
【図３Ａ】図２のチャネル状態情報報告方法の特定の例の概略図である。
【図３Ｂ】図２のチャネル状態情報報告方法の特定の例の概略図である。
【００４９】
【図４】本発明の一実施形態による別のチャネル状態情報報告方法の概略フローチャートである。
【００５０】
【図５】本発明の一実施形態による端末５００の概略構造図である。
【００５１】
【図６】本発明の一実施形態による端末６００の概略構造図である。
【００５２】
【図７】本発明の一実施形態による基地局７００の概略構造図である。
【００５３】
【図８】本発明の一実施形態による基地局８００の概略構造図である。
【００５４】
【図９】本発明の一実施形態による通信装置９００の概略構造図である。
【発明を実施するための形態】
【００５５】
当業者に本発明の技術的ソリューションをより良く理解させるために、以下は、本発明の実施形態における技術的ソリューションを本発明の実施形態における添付の図面を参照して明確且つ完全に記載する。明らかに、記載される実施形態は、本発明の実施形態の単なる一部であり、全ての実施形態ではない。本発明の実施形態に基づき創造的労力を有しないで当業者により得られる全ての他の実施形態は、本発明の保護範囲に包含される。
【００５６】
詳細事項は、以下に別個に記載される。
【００５７】
本発明の明細書、請求項、及び添付の図面において、用語「第１」、「第２」、「第３」、「第４」等は、異なるオブジェクト間を区別することを意図し、特定の順序を示さない。さらに、用語「有する」、「含む」、又はそれらの任意の変形は、非排他的包含をカバーすることを意図する。例えば、一連のステップ若しくはユニットを含む処理、方法、システム、プロダクト、又は装置は、列挙されたステップ又はユニットに限定されず、任意で、列挙されないステップ又はユニットを更に含み、或いは任意で、処理、方法、プロダクト、若しくは装置の別の固有のステップ又はユニットを更に含む。
【００５８】
本願明細書で言及される「実施形態」は、該実施形態を参照して記載される特定の特徴、構造、又は機能が本発明の少なくとも１つの実施形態に含まれ得ることを意味する。本願明細書内のあらゆる場所にあるフレーズは、必ずしも同じ実施形態、他の実施形態を排除する独立した又は代替の実施形態を意味しない。当業者は、本願明細書に記載された実施形態は他の実施形態と結合されて良いことを明らかに及び暗に理解する。
【００５９】
本願明細書内の幾つかの用語は、当業者がより良好に理解するために、以下に説明される。
【００６０】
（１）端末は、ユーザ機器（User  Equipment、ＵＥ）としても参照され、ユーザに音声及び／又はデータ接続を提供する装置であり、例えば、無線接続機能を有するハンドヘルド装置又は車内装置である。例えば、一般的な端末は、携帯電話機、タブレットコンピュータ、ノードブックコンピュータ、パームトップコンピュータ、モバイルインターネット装置（mobile  internet  device、ＭＩＤ）、及びスマートウォッチ、スマートバンド、及び歩数計のようなウェアラブル装置を含む。
【００６１】
（２）基地局は、セルラネットワークにおいてアクセスネットワーク側にある無線アクセスネットワーク（Radio  Access  Network、ＲＡＮ）装置である。ＲＡＮ装置は、端末に無線ネットワークに接続する装置であり、進化型ＮｏｄｅＢ（evolved  NodeB、ｅＮＢ）、無線ネットワーク制御部（radio  network  controller、ＲＮＣ）、ＮｏｄｅＢ（NodeB、ＮＢ）、基地局制御部（Base  Station  Controller、ＢＳＣ）、ベーストランシーバ局（Base  Transceiver  tation、ＢＴＳ）、ホーム基地局（例えば、Home  evolved  NodeB、又はHome  NodeB、ＨＮＢ）、又はベースバンドユニット（Baseband  Unit、ＢＢＵ）を含むがこれらに限定されない。
【００６２】
（３）チャネル状態情報ＣＳＩは、通信リンクのチャネル属性を意味する。ＣＳＩは、各送信経路上の信号のフェージング因子を表す。ＣＳＩは、チャネル品質指示子（Channel  Quality  Indicator、ＣＱＩ）、プリコーディング行列指示子（Precoding  Matrix  Indicator、ＰＭＩ）、及びランク指示子（Rank  Indicator、ＲＩ）を含む。ＣＱＩは、物理ダウンリンク共有チャネル（Physical  Downlink  Shared  Channel、ＰＤＳＣＨ）のチャネル品質を反映するために使用される。例えば、０〜１５は、ＰＤＳＣＨのチャネル品質を表すために使用され、０は最も粗悪なチャネル品質を表し、１５は最も良好なチャネル品質を表す。端末は、ＰＵＣＣＨ／ＰＵＳＣＨ上で基地局へＣＱＩを送信する。ＣＱＩを取得した後に、基地局は、現在のＰＤＳＣＨの無線チャネル状態が良好か否かを知る。このように、基地局は、ＰＤＳＣＨを適宜スケジューリングできる。ＲＩは、ＰＤＳＣＨの有効データレイヤ数を示すために使用される。基地局は、ＲＩを用いて、端末により現在サポート可能なＣＷの数を通知される。ＰＭＩは、コードブックセットの中のコードワードのインデックスを示すために使用される。マルチアンテナＭＩＭＯ技術がＬＴＥにおいて提供される。したがって、ＰＤＳＣＨの物理レイヤにおけるベースバンド処理にプリコーディング技術がある。プリコーディングは、ここでは、単に種々の異なるプリコーディング行列を乗算することである。
【００６３】
（４）参照信号リソースは、チャネル状態情報を測定するための参照信号を含む。参照信号は、以下の信号：セル固有参照信号（Cell-specific  Reference  Signal、ＣＲＳ）、チャネル状態情報参照信号（Channel  State  Information-Reference  Signal、ＣＳＩ−ＲＳ）、復調参照信号（demodulation  reference  signal、ＤＭＲＳ）、及び発見参照信号（Discovery  Reference  Signal、ＤＲＳ）のうちの少なくとも１つを含む。ＣＳＩ−ＲＳは、非ゼロパワー（Non-Zero  Power、ＮＺＰ）ＣＳＩ−ＲＳ及びＣＳＩ−ＩＭ（CSI-interference  measurement）を更に含んで良い。
【００６４】
（５）第２ＰＭＩの次元が第１ＰＭＩの次元より大きいことは、第２ＰＭＩのプリコーディング行列の行の数が、第１ＰＭＩのプリコーディング行列の行の数より大きいことを示す。
【００６５】
（６）サブフレームオフセットは、１期間内のサブフレームオフセットである。期間が５ｍｓである場合、サブフレームオフセットは、５ｍｓの間隔で特定のｉ番目のサブフレームを示す。ここで、ｉ＝０、１、２、３、又は４である。
【００６６】
（７）測定制限シグナリングは、参照信号リソースに基づくＣＳＩ測定をサブフレームに限定するためである。本発明の実施形態では、測定制限シグナリングは、測定制限がＣＳＩ測定の中の信号測定に対して行われる必要があるか否か、及びＣＳＩ測定の中の信号測定がどのサブフレームに限定されるかを示すために使用される。
【００６７】
（８）上位レイヤシグナリング又はレイヤ１シグナリングについて、上位レイヤシグナリングは無線リソース制御（Radio  Resource  Control、ＲＲＣ）シグナリング又は媒体アクセス制御（Media  Access  Control、ＭＡＣ）シグナリングであり、レイヤ１シグナリングは物理レイヤ制御シグナリングである。
【００６８】
（９）直積は、複数の非空集合を順番に乗算することにより得られる集合である。例えば、Ａ及びＢは任意の２つの集合である。要素ｘは集合Ａからランダムに選択され、要素ｙは集合Ｂからランダムに選択されて、順序対（ｘ，ｙ）を構成する。このような順序対は新しい要素として使用される。２つの集合から生成される全部の順序対である要素を含む集合は、集合Ａ及び集合Ｂの直積として参照される。直積はＡ×Ｂと表記される。言い換えると、Ａ×Ｂ＝｛（ｘ，ｙ）｜ｘ∈Ａ且つｙ∈Ｂ｝である。直和は、対応する順序で複数の非空集合の中のサブ要素を加算することにより得られる集合である。例えば、Ａ及びＢは任意の２つの集合である。要素ｘは集合Ａからランダムに選択され、要素ｙは集合Ｂからランダムに選択されて、順序対（ｘ，ｙ）を構成する。このような順序対は新しい要素として使用される。２つの集合から生成される全部の順序対である要素を含む集合は、集合Ａ及び集合Ｂの直和として参照される。直和は
【数１】
2019521570.tif 000003
と表記される。言い換えると、
【数２】
2019521570.tif 000004
である。補間は、ｎ＋１個の異なる点ｘ０、ｘ１、．．．、及びｘｎにおける既知の関数ｙ＝ｆ（ｘ）の関数値ｙ０、ｙ１、．．．、又はｙｎである（言い換えると、関数はｎ＋１個の点：（ｘ０、ｙ０）、（ｘ１、ｙ１）、．．．、（ｘｎ、ｙｎ）を渡す）。ｎ＋１個の点を渡し且つ最大パワーがｎを超えない多項式ｙ＝Ｐｎ（ｘ）が構成されると考えられる。したがって、多項式はＰｎ（ｘｋ）＝ｙｋを満たし、ｋ＝０、１、．．．、又はｎであり、Ｐｎ（ε）の値は正確な値ｆ（ε）の近似として使用され得る。この方法は、補間として参照される。
【００６９】
（１０）「複数の」は、２又は２より多くを意味する。用語「及び／又は」は、関連するオブジェクトを説明するための関連付け関係を記載し、３つの関係が存在し得ることを表す。例えば、Ａ及び／又はＢは、以下の３つの場合を表すことがある。Ａのみが存在する、ＡとＢの両方が存在する、並びに、Ｂのみが存在する。文字「／」は、通常、関連するオブジェクト間の「又は」の関係を示す。
【００７０】
以下は、添付の図面を参照して本願の実施形態を記載する。
【００７１】
図１を参照すると、図１は、本発明の一実施形態による通信システムの概略図である。図１に示す通信システムは、端末１１０及び基地局１２０を含む。端末１１０は、Ｒ個の第１ＰＭＩを取得するために、ＣＳＩプロセスにおいてＭ個の第１参照信号リソースに対してチャネル品質測定を実行する。端末１１０は、Ｒ個の第１ＰＭＩに基づきＣＱＩを取得して良い。最後に、端末１１０は、チャネル状態情報を報告する。チャネル状態情報は、Ｒ個の第１ＰＭＩ及びＮ個のＣＱＩ、又はＲ個の第１ＰＭＩ及び１個のＣＱＩを含む。基地局１２０は、端末により報告されたチャネル状態情報を読み取る。Ｒ個の第１ＰＭＩは、第１動作基準に従いＰ個の第２ＰＭＩを決定するために基地局１２０により使用される。ここで、第２ＰＭＩの次元は第１ＰＭＩの次元より大きい。第１ＰＭＩの次元は第２ＰＭＩの次元より少ないことが分かり、これは、第１参照信号リソースに対応するポートの数が送信を実行しようとする合計アンテナポート数より少ないことを反映する。言い換えると、送信を実行しようとするアンテナポートの数は増大するが、このソリューションで設計された第１参照信号リソースのためのポートは、合計アンテナポートのうちの一部だけでよく、したがってリソースオーバヘッドが削減できる。
【００７２】
さらに、図１に示す通信システムに基づき、端末１１０は、チャネル状態情報を更に決定して良い。ここで、チャネル状態情報は、第１参照信号リソースの第１チャネル状態情報及び第２参照信号リソースの第２チャネル状態情報を含む。端末は、チャネル状態情報の報告モードを決定し、該報告モードに基づきチャネル状態情報を報告する。基地局は、端末により報告されたチャネル状態情報を読み出す。第１チャネル状態情報は、ゆっくり変化する且つ長期のチャネル状態情報であり、第２チャネル状態情報は、速く変化する且つ短期のチャネル状態情報である。したがって、第１チャネル状態情報に対応する第１参照信号リソースは、比較的長い送信期間を有して良く、第１参照信号リソースのアンテナポートは、合計アンテナポートのうちの一部だけであって良く、したがってリソースオーバヘッドを削減する。さらに、第２チャネル状態情報に対応する第２参照信号リソースは、第１チャネル状態情報に基づき決定される。例えば、第２参照信号リソースに作用するビーム形成は、第１チャネル状態情報内のプリコーディング行列指示子情報に基づき、第２参照信号リソースのポート数は、第１チャネル状態情報内のランク指示子に基づく。したがって、第２参照信号リソースに作用するビーム形成及びシステム性能が効果的に向上する。
【００７３】
以下は、当業者が一層良好に理解するように、添付の図面を参照して本発明の実施形態を詳細に記載する。
【００７４】
図２に示すように、本発明の一実施形態において提供されるチャネル状態情報報告方法は以下のステップを含む。
【００７５】
Ｓ２０１。端末は、Ｍ個の第１参照信号リソースのＲ個の第１プリコーディング行列指示子ＰＭＩを決定し、Ｒ個の第１ＰＭＩに基づきチャネル品質指示子ＣＱＩを決定する。ここで、Ｍ及びＲは１以上の整数である。
【００７６】
Ｓ２０２。端末はチャネル状態情報を報告し、基地局は端末により報告されたチャネル状態情報を読み出す。チャネル状態情報はＲ個のＰＭＩ及びＮ個のＣＱＩを含み、又は、チャネル状態情報はＲ個の第１ＰＭＩ及び１個のＣＱＩを含む。Ｒ個の第１ＰＭＩは、第１動作基準に従いＰ個の第２ＰＭＩを決定するために基地局により使用され、第２ＰＭＩの次元は第１ＰＭＩの次元より大きく、Ｐ及びＮは１以上の整数である。
【００７７】
前述の３つの値Ｍ、Ｒ、及びＰは互いに独立であることに留意すべきである。具体的に、ＲはＭ以上であって良く、又はＲはＭ未満であって良く、ＰはＲ以上であって良く、又はＰはＲ未満であって良い、等である。Ｍ、Ｒ、及びＰの間の関係は本発明において限定されない。
【００７８】
任意で、チャネル状態情報がＲ個の第１ＰＭＩ及びＮ個のＣＱＩを含む場合、ステップＳ２０１で端末がＲ個の第１ＰＭＩに基づきＣＱＩを決定することは、具体的に以下の通り実装される。端末は、Ｒ個の第１ＰＭＩ及び第１動作基準に基づき、Ｐ個の第２ＰＭＩ及び／又はＮ個のＣＱＩを決定する。
【００７９】
具体的に、ＣＳＩプロセスにおけるＭ個の参照信号リソースは非ビーム形成参照信号リソースであると仮定する。端末は、Ｒ個の第１ＰＭＩを取得するために、Ｍ個の第１参照信号リソースに対してチャネル品質測定を実行する。例えば、Ｒ個の第１ＰＭＩは、それぞれ、ＲＳ１−ＰＭＩ、ＲＳ２−ＰＭＩ、．．．、及びＲＳＲ−ＰＭＩと表記される。次に、端末は、第１動作基準を用いて、Ｒ個の第１ＰＭＩに基づきＰ個の第２ＰＭＩを取得する。さらに、端末は、Ｐ個の第２ＰＭＩに基づきＮ個のＣＱＩを取得して良い。
【００８０】
任意で、端末がＮ個のＣＱＩを報告する別の方法は以下の通りである。端末は、基本ＣＱＩと、他のＮ−１個のＣＱＩの基本ＣＱＩに対する差分項目と、を報告する。例えば、報告されるべきＮ個のＣＱＩがＣＱＩ１、ＣＱＩ２、．．．、ＣＱＩＮであると仮定する。端末は、Ｎ個のＣＱＩの中のＣＱＩ１と、他のＮ−１個のＣＱＩのＣＱＩ１に対する差分項目：ｄｅｌｔａ＿ＣＱＩ２、．．．、及びｄｅｌｔａ＿ＣＱＩＮを報告する。したがって、Ｎ−１個のＣＱＩ：ＣＱＩ１、ＣＱＩ２、．．．、ＣＱＩＮは、ＣＱＩ１をＮ−１個のＣＱＩ差分項目：ｄｅｌｔａ＿ＣＱＩ２、．．．、及びｄｅｌｔａ＿ＣＱＩＮに連続的に加算することにより得られる。Ｎ−１個のＣＱＩ差分項目は、チャネル状態情報報告オーバヘッドを効果的に削減するために報告される。
【００８１】
任意で、チャネル状態情報がＲ個の第１ＰＭＩ及び１個のＣＱＩを含む場合、ステップＳ２０１で端末がＲ個の第１ＰＭＩに基づきチャネル品質指示子ＣＱＩを決定することは、具体的に以下の通り実装される。端末は、Ｒ個の第１ＰＭＩ及び第２動作基準に基づき、１個の第２ＰＭＩ及び／又は１個のＣＱＩを決定する。
【００８２】
任意で、端末が１個のＣＱＩのみを報告する場合、ステップＳ２０２で報告されるチャネル状態情報は、さらに、端末により報告されたＣＱＩに対応するＣＱＩインデックス指示子を含む必要がある。
【００８３】
具体的に、ＣＳＩプロセスにおけるＭ個の参照信号リソースは非ビーム形成参照信号リソースであると仮定する。端末は、Ｒ個の第１ＰＭＩを取得するために、Ｍ個の第１参照信号リソースに対してチャネル品質測定を実行する。例えば、Ｒ個の第１ＰＭＩは、それぞれ、ＲＳ１−ＰＭＩ、ＲＳ２−ＰＭＩ、．．．、及びＲＳＲ−ＰＭＩと表記される。次に、端末は、第２動作基準を用いて、Ｍ個の第１ＰＭＩに基づき１個の第２ＰＭＩを取得して良い。さらに、端末は、第２ＰＭＩに基づき１個のＣＱＩを取得して良い。第２動作基準は、ＣＱＩに対応するＣＱＩインデックス指示子に対応する動作基準である。
【００８４】
任意で、第１動作基準及び第２動作基準は、直積、直和、及び補間のうちの少なくとも１つであって良い。第１動作基準及び第２動作基準は端末のために基地局により構成される、又は第１動作基準及び第２動作基準は、基地局及び端末により予め定められる。第１動作基準及び第２動作基準は、前述の３つの動作基準に限定されないことに留意すべきである。
【００８５】
任意で、Ｒ個の第１ＰＭＩは、プリコーディング行列及び／又は第２参照信号リソースのポート数を決定するために基地局により使用される。
【００８６】
第１参照信号リソース及び第２参照信号リソースは、異なる種類の参照リソースである。第１参照信号リソースは種類Ａの非ビーム形成参照信号リソースであり、第２参照信号リソースは種類Ｂのビーム形成参照信号リソースである。Ｒ個の第１ＰＭＩは、プリコーディング行列及び／又は第２参照信号リソースのポート数を決定するために基地局により使用される。言い換えると、基地局は、種類ＢのＣＳＩプロセスにおいて参照信号リソースに作用するビーム形成のために、Ｒ個の第１ＰＭＩを使用する。種類Ｂの参照信号リソースに対するビーム形成は、種類Ａの参照信号リソースを測定することにより訓練できる。したがって、種類Ｂの参照信号リソースに作用するビーム形成の精度は効果的に向上し、種類Ｂの参照信号リソースに基づくシステム性能は更に向上する。
【００８７】
例えば図３Ａ及び図３Ｂを参照すると、図３Ａ及び図３Ｂは、図２のチャネル状態情報報告方法の特定の例の概略図である。種類Ａの１２８アンテナポート参照信号リソース並びに対応するチャネル品質測定及び報告の構成が一例として使用される。ＣＳＩプロセスには２つの参照信号リソース：参照信号リソース１（１６ポート参照信号リソース）及び参照信号リソース２（８ポート参照信号リソース）が存在すると仮定する。端末は、参照信号リソース１に対するチャネル品質測定に基づき、ＲＳ１−ＰＭＩ及びＣＱＩ１−Ａのような１番目の第１ＰＭＩ及び１番目のＣＱＩを取得する。ＣＱＩ１−Ａは、第１動作基準、言い換えると補間が第１ＰＭＩに対して実行された後に得られたＰＭＩ−１のような第２ＰＭＩに基づき取得される。同様に、ユーザは、参照信号リソース２に対する測定に基づき、ＲＳ２−ＰＭＩ及びＣＱＩ２−Ａのような２番目の第１ＰＭＩ及び２番目のＣＱＩを取得する。ＣＱＩ２−Ａは、補間が２番目の第１ＰＭＩに対して実行された後に得られたＰＭＩ−２のような第２ＰＭＩに基づき取得される。さらに、端末は、補間が１番目の第１ＰＭＩ及び２番目の第１ＰＭＩ：ＲＳ１−ＰＭＩ及びＲＳ２−ＰＭＩの直和に対して実行された後に得られたＰＭＩ−３のような第２ＰＭＩに対する測定に基づき、ＣＱＩ３−Ａのような３番目のＣＱＩを取得して良い。或いは、端末は、ＲＳ１−ＰＭＩ及びＲＳ２−ＰＭＩのような１番目の第１ＰＭＩ及び２番目の第１ＰＭＩに対して直積が実行された後に得られた第２ＰＭＩに対する測定に基づき、ＣＱＩ４−Ａのような４番目のＣＱＩを取得して良い。
【００８８】
端末により報告されるチャネル状態情報は、以下の２つの場合を含む。
（１）ＲＳ１−ＰＭＩのような１番目の第１ＰＭＩ、ＲＳ２−ＰＭＩのような２番目の第１ＰＭＩ、及びＣＱＩｘ−ＡのようなＣＱＩ。ここでＣＱＩｘ−Ａは前述の４個のＣＱＩのうちの１つである。
（２）ＲＳ１−ＰＭＩのような１番目の第１ＰＭＩ、ＲＳ２−ＰＭＩのような２番目の第１ＰＭＩ、及び４個のＣＱＩ：ＣＱＩ１−Ａ、ＣＱＩ２−Ａ、ＣＱＩ３−Ａ、及びＣＱＩ４−Ａ。
【００８９】
さらに、基地局は、端末１により報告された種類Ａの参照信号リソースのＲＳ１−ＰＭＩ及びＲＳ２−ＰＭＩのような１番目の第１ＰＭＩ及び２番目の第１ＰＭＩに基づき、種類Ｂの参照信号リソースに作用するプリコーディング行列、及び／又は種類Ｂの参照信号リソースのポート数を更に決定して良い。
【００９０】
図４に示すように、本発明の一実施形態において提供されるチャネル状態情報報告方法は以下のステップを含む。
【００９１】
Ｓ４０１。端末は、チャネル状態情報を決定する。ここで、チャネル状態情報は、第１参照信号リソースの第１チャネル状態情報、及び第２参照信号リソースの第２チャネル状態情報を含む。
【００９２】
Ｓ４０２。端末は、チャネル状態情報の報告モードを決定する。
【００９３】
Ｓ４０３。端末は、報告モードに基づきチャネル状態情報を報告し、基地局は、端末により報告されたチャネル状態情報を読み出す。
【００９４】
任意で、第１チャネル状態情報及び第２チャネル状態情報に含まれる内容は、以下の３つの場合を有して良い。
【００９５】
（１）第１チャネル状態情報は、ＲＩ及び第１ＰＭＩのうちの少なくとも１つを含み、第２チャネル状態情報は、参照信号リソースインデックスＣＲＩ、ＣＱＩ、及び第２ＰＭＩのうちの少なくとも１つを含む。
【００９６】
（２）第１チャネル状態情報は、ＲＩ及び第１ＰＭＩのうちの少なくとも１つを含み、第２チャネル状態情報は、参照信号リソースインデックスＣＲＩ、ＣＱＩ、及び第２ＰＭＩのうちの少なくとも１つを含む。
【００９７】
（３）第１チャネル状態情報は、ＲＩ、ＣＱＩ、第１ＰＭＩ、及び第２ＰＭＩのうちの少なくとも１つを含み、第２チャネル状態情報は、ＲＩ、ＣＲＩ、ＣＱＩ、第１ＰＭＩ、及び第２ＰＭＩのうちの少なくとも１つを含む。
【００９８】
さらに、第１チャネル状態情報は、長期の且つゆっくり変化するチャネル状態情報であり、第２チャネル状態情報は、短期の且つ速く変化するチャネル状態情報である。
【００９９】
第１ＰＭＩの次元は、第２ＰＭＩの次元と独立であり、それと分離される。第１ＰＭＩの次元は第１参照信号リソースのポート数に等しく、第２ＰＭＩの次元は第２参照信号リソースのポート数に等しい。例えば、第１参照信号リソースのポートは、全体のアンテナポートのうちの任意のサブセット（一部又は全部）であり、第２参照信号リソースのポート数は、第１チャネル状態情報に基づき決定される。したがって、第１参照信号リソースの次元は第２参照信号リソースの次元と無関係である。
【０１００】
合計アンテナポート数に基づき、所定の動作基準に従い第１ＰＭＩ及び第２ＰＭＩを用いて、第３ＰＭＩが決定される。所定の動作基準は、積、直積、直和、補間、及び任意の他の動作基準のうちの１つであって良い。ＣＱＩは、第１ＰＭＩ及び第２ＰＭＩに基づき計算される。或いは、ＣＱＩは、第３ＰＭＩに基づき計算される。
【０１０１】
特定の実装で、２つの独立したｅＭＩＭＯ種類が、１つのＣＳＩプロセスに対して構成され、各ｅＭＩＭＯ種類は１種類の参照信号リソース、例えば第１種類の参照信号リソース及び第２種類の参照信号リソースに対応する。第１種類の参照信号リソースは、Ｋ１個の参照信号リソースを含み、第２種類の参照信号リソースはＫ２個の参照信号リソースを含み、２種類の参照信号リソースは１つの構成パラメータセットに対応し、Ｋ１及びＫ２は１以上の整数である。
【０１０２】
ケース１：ＣＳＩプロセスにおいて、第１種類の参照信号リソースはＫ１個の参照信号リソースを含み、Ｋ１≧１であり、第２種類の参照信号リソースはＫ２個の参照信号リソースを含み、Ｋ２＝１である。
【０１０３】
第１種類の参照信号リソースに対応する第１チャネル状態情報は、以下のオプションのうちのいずれか１つを含む。
【０１０４】
オプション１：１個の第１ＰＭＩ及び１個のＲＩ。
【０１０５】
オプション２：複数の第１ＰＭＩ及び１個のＲＩ。
【０１０６】
オプション３：１個の第１ＰＭＩ。
【０１０７】
オプション４：複数の第１ＰＭＩ。
【０１０８】
さらに、第１チャネル状態情報は、第２ＰＭＩ及びＣＱＩを更に含んで良い。第１チャネル状態情報の報告モードは周期的報告モードである。さらに、第１チャネル状態情報は、物理アップリンク制御チャネル（Physical  Uplink  Control  Channel、ＰＵＣＣＨ）でフィードバックされる。オプション２及びオプション４の複数の第１ＰＭＩは、異なる方法を用いて報告されて良い。例えば、端末は、Ｑ（Ｑ≧２）個の第１ＰＭＩの中の基本第１ＰＭＩ、及び他の第１ＰＭＩの基本ＰＭＩに対する差分項目、を報告する。基本第１ＰＭＩは、複数の第１ＰＭＩの中の最小又は最大値を有するＰＭＩであって良い。これは、本発明において限定されない。さらに、基地局及び端末は、第１ＰＭＩをグループ化する方法を予め定めても良い。例えば、第１ＰＭＩの全体集合はＺ（Ｚ≧１）個のグループに分けられる。ユーザは、Ｑ個の第１ＰＭＩの各々が配置されるグループの番号、及び対応するＰＭＩグループの中の各第１ＰＭＩの数を報告する。言い換えると、複数の第１ＰＭＩは、二重の指示方法を用いて報告される。
【０１０９】
任意で、複数の第１ＰＭＩは、共同で符号化され及び報告されて良い。これは、新しいＰＵＣＣＨ報告種類に対応する。代替で、複数の第１ＰＭＩは、それぞれ複数の連続するサブフレームの中で報告される。例えば、第１ＰＭＩは、複数のサブフレームを束ねてフィードバックされる。
【０１１０】
第２種類の参照信号リソースに対応する第２チャネル状態情報の報告モードは、非周期的報告モードである。任意で、第２チャネル状態情報は、物理アップリンク共有チャネル（Physical  Uplink  Shared  Channel、ＰＵＳＣＨ）でフィードバックされる。第２チャネル状態情報は、ＲＩ、第２ＰＭＩ、及びＣＱＩのうちの少なくとも１つを含む。
【０１１１】
別の実装では、第１チャネル状態情報の報告モードは、非周期的報告モードであって良く、第１チャネル状態情報はＰＵＳＣＨでフィードバックされる。第２チャネル状態情報の報告モードは、周期的報告モードであって良く、第２チャネル状態情報はＰＵＣＣＨチャネルでフィードバックされる。代替として、第１チャネル状態情報及び第２チャネル状態情報の各々の報告モードは、周期的報告モード又は非周期的報告モードである。これは、本発明において限定されない。
【０１１２】
ケース２：ＣＳＩプロセスにおいて、第１種類の参照信号リソースはＫ１個の参照信号リソースを含み、Ｋ１≧１であり、第２種類の参照信号リソースはＫ２個の参照信号リソースを含み、Ｋ２≧１である。
【０１１３】
第１種類の参照信号リソースに対応する第１チャネル状態情報は、以下のオプションのうちのいずれか１つを含む。
【０１１４】
オプション１：Ｇ（Ｇ≧１）個のＣＲＩ（CSI-RS  Resource  Index）、及び／又はＧ（Ｇ≧１）個のＲＩ。
【０１１５】
オプション２：第１ＰＭＩ及び／又は第２ＰＭＩ。
【０１１６】
オプション３：Ｋ個のＣＳＩ、ここで各ＣＳＩはＲＩ、ＰＭＩ、及びＣＱＩを含む。
【０１１７】
第２チャネル状態情報は以下のオプションのうちのいずれか１つを含む。
【０１１８】
オプション１：ＰＭＩ及びＣＱＩ、及び／又はＲＩ及び／又はＣＲＩ。
【０１１９】
オプション２：ＲＩ、ＣＱＩ、及び／又はＰＭＩ。
【０１２０】
オプション３：ＲＩ、ＰＭＩ、及びＣＱＩ。
【０１２１】
ケース２のオプション１の第１チャネル状態情報及び第２チャネル状態情報は、１つのフィードバックモードを用いて一緒に報告されて良い。さらに、前述の報告モードは、周期的報告モード又は非周期的報告モードであって良い。ＣＲＩ及びＲＩは、一緒に符号化され及び報告されて良く、又は別個に報告されて良い。第１ＣＲＩの報告期間は、第２ＣＲＩの報告期間より長く又はそれに等しい。
【０１２２】
任意で、ケース２のオプション１の第１チャネル状態情報は、Ｈ（Ｈ≧２）個のＣＲＩ及び／又はＨ個のＲＩを含んで良い。Ｈ個のＣＲＩは、別個に又は一緒に報告されて良く、又はＨ個のＣＲＩの各々及び対応するＲＩは一緒に報告され、Ｈ個のＣＲＩ及びＲＩは異なるときに報告されて良い。
【０１２３】
別の実装では、Ｈ個のＣＲＩ及び／又はＨ個のＣＲＩ及びＲＩは、Ｈ個の連続サブフレームの中で別個に報告される。具体的に、第１チャネル状態情報は、複数のサブフレームを束ねてフィードバックされる。
【０１２４】
さらに、望ましい主な特徴は以下のように纏められる。２つの独立したｅＭＩＭＯが１つのＣＳＩプロセスについて構成され、各ｅＭＩＭＯ種類が１種類の参照信号リソースに対応するとき、２種類の参照信号リソースに対応するＣＳＩ報告モードのうちの一方は周期的報告モードであり、他方のＣＳＩ報告モードは非周期的報告モードである。
【０１２５】
第１チャネル状態情報が少なくとも２個の第１ＰＭＩ又は少なくとも２個のＣＲＩを含むとき、少なくとも２個の第１ＰＭＩ又は少なくとも２個のＣＲＩは一緒に符号化され、次に報告される。任意で、少なくとも２個の第１ＰＭＩ又は少なくとも２個のＣＲＩは、複数のサブフレームを束ねることにより、複数のサブフレームのうちの各々で連続して報告される。
【０１２６】
任意で、第１参照信号リソースの期間は、第２参照信号リソースの期間より大きい又は等しく、第１参照信号リソースのサブフレームオフセットは、第２参照信号リソースのサブフレームオフセットと異なる。
【０１２７】
任意で、第１参照信号リソースの測定制限シグナリング及び第２参照信号リソースの測定制限シグナリングは、独立して構成される。
【０１２８】
任意で、各第１参照信号リソース及び／又は各第２参照信号リソースの送信及び／又は測定制限は、上位レイヤシグナリング又はレイヤ１シグナリングを用いて基地局により通知される。
【０１２９】
例えば、種類Ａの参照信号リソースだけでなく、種類のＢの参照信号リソースもＣＳＩプロセスの中に存在する場合、基地局は、ＣＳＩプロセスの中で参照信号リソースに対して送信及び／又は測定制限を実行して良い。例えば、ＣＳＩプロセスの中にＭ個の参照信号リソースがある。基地局は、上位レイヤシグナリング又はレイヤ１シグナリングを用いて、Ｍ個の参照信号リソースの送信及び／又はＭ個の参照信号リソースに対するＣＳＩ測定制限を通知する。さらに、送信又は制限の前述のシグナリングは、ビットマップの形式であって良い。例えば、０００１１１は、Ｍ＝６個の参照信号リソースの中の４番目のリソース、５番目のリソース、及び６番目のリソースだけが送信されること、又は端末が４番目のリソース、５番目のリソース、及び６番目のリソースにのみ基づきＣＳＩ測定及び／又は報告を実行する必要のあることを示す。ＣＲＩが報告される一例が使用される。端末は、限られた参照信号リソースに基づき、測定及び／又は対応するリソース選択を実行するだけでよい。
【０１３０】
このソリューションにおける測定制限は、主に信号測定のためである。上位レイヤシグナリングのために構成される信号測定パラメータは、限定ではないが、測定制限スイッチ、測定制限時間ウインドウ長、等を含む。
【０１３１】
任意で、前述の測定制限は、各参照信号リソースに対して実行される測定制限である。例えば、ＣＳＩプロセスがＫ（Ｋ≧１）個の参照信号リソースを含むとき、前述の測定制限は、Ｋ個の参照信号リソースの各々に対して実行される測定制限である。前述の測定制限は、信号測定に対する測定制限、及び干渉測定に対する測定制限、のうちの少なくとも１つであって良い。
【０１３２】
任意で、報告されたチャネル状態情報がＲＩを含む場合、ステップＳ４０２で端末がチャネル状態情報を報告する報告モードを決定することは、具体的に次の通り実装される。端末は、報告されたＲＩを測定する方法に基づき、チャネル状態情報の報告モードを決定する。
【０１３３】
任意で、ステップＳ４０２で端末がチャネル状態情報の報告モードを決定することは、具体的に次の通り実装される。端末は、フィードバック種類指示子に基づき、チャネル状態情報を報告する報告モードを決定する。
【０１３４】
任意で、第１チャネル状態情報の報告期間は、第２チャネル状態情報の報告期間より長い又はそれに等しい。
【０１３５】
例えば、種類Ａの参照信号リソースだけでなく、種類のＢの参照信号リソースもＣＳＩプロセスの中に存在する場合、ステップＳ４０２で、端末は、ＲＩを測定する異なる方法に基づき異なる報告モードを決定して良い。例えば、ＲＩが種類Ａのリソースに基づき測定されるとき、言い換えると、ＲＩが第１チャネル状態情報に含まれるとき、報告モードは相応して種類１である。代替として、ＲＩが種類Ｂのリソースに基づき測定されるとき、言い換えると、ＲＩが第２チャネル状態情報に含まれるとき、報告モードは相応して種類２である。
【０１３６】
種類１では、ＲＩ及び第１ＰＭＩは一緒に報告され、ＣＲＩは別個に報告され、ＣＱＩ及び／又は第２ＰＭＩは一緒に報告される。ＲＩ及び第１ＰＭＩの報告期間は、ＣＲＩの報告期間より長い又はそれに等しく、ＣＲＩの報告期間は、ＣＱＩ及び／又は第２ＰＭＩの報告期間より長い又はそれに等しい。種類２では、第１ＰＭＩは別個に報告され、ＣＲＩ及び／又はＲＩは一緒に報告され、ＣＱＩ及び／又は第２ＰＭＩは一緒に報告される。第１ＰＭＩの報告期間は、ＣＲＩ及び／又はＲＩの報告期間より長い又はそれに等しく、ＣＲＩ及び／又はＲＩの報告期間は、ＣＱＩ及び／又は第２ＰＭＩの報告期間より長い又はそれに等しい。異なるフィードバック種類は、異なるチャネル状態情報報告モードの中で設定される。
【０１３７】
さらに、ステップＳ４０２で、端末は、チャネル状態情報をフィードバックするとき、チャネル状態情報を報告するために端末により使用される特定の報告モードを示すために、種類指示子（Report  type  indicator、ＲＴＩ）をフィードバックして良い。例えば、ＲＴＩ指示子が０であるとき、これは、端末が種類１の報告モードを用いてチャネル状態情報をフィードバックすることを示す。又は、ＲＴＩ指示子が１であるとき、これは、端末が、種類２の報告モードを用いてチャネル状態情報をフィードバックすることを示す。
【０１３８】
任意で、別の実装では、端末がチャネル状態情報を報告する前に、基地局は、端末についてＲＴＩ指示子を構成して良い。端末は、ＲＴＩにより示された報告モードに基づきチャネル状態情報を報告する。
【０１３９】
第１チャネル状態情報は、ゆっくり変化する且つ長期のチャネル状態情報であり、第２チャネル状態情報は、速く変化する且つ短期のチャネル状態情報であることが分かる。したがって、第１チャネル状態情報に対応する第１参照信号リソースは、比較的長い送信期間を有して良く、第１参照信号リソースのアンテナポートは、合計アンテナポートのうちの一部だけであって良く、したがってリソースオーバヘッドを削減する。さらに、第２チャネル状態情報に対応する第２参照信号リソースは、第１チャネル状態情報に基づき決定される。例えば、第２参照信号リソースに作用するビーム形成は、第１チャネル状態情報内のプリコーディング行列指示子情報に基づき、第２参照信号リソースのポート数は、第１チャネル状態情報内のランク指示子に基づく。したがって、第２参照信号リソースに作用するビーム形成及びシステム性能が効果的に向上する。
【０１４０】
さらに、第１参照信号リソースが相対的に長い送信期間を有するように、第１参照信号リソースの送信時間は第２参照信号リソースの送信時間と分離され、時間ドメイン次元における第１参照信号リソースオーバヘッドを削減する。
【０１４１】
以下は、添付の図面を参照して本発明の実施形態の前述の方法を実装する機器を記載する。
【０１４２】
図５を参照すると、図５は、本発明の一実施形態による端末の概略構造図である。
【０１４３】
図５に示すように、端末５００は、決定モジュール５０１、及び報告モジュール５０２を含み得る。
【０１４４】
決定モジュール５０１は、Ｍ個の第１参照信号リソースのＲ個の第１プリコーディング行列指示子ＰＭＩを決定し、Ｒ個の第１ＰＭＩに基づきチャネル品質指示子ＣＱＩを決定するよう構成される。ここで、Ｍ及びＲは１以上の整数である。
【０１４５】
報告モジュール５０２は、チャネル状態情報を報告するよう構成され、チャネル状態情報はＲ個の第１ＰＭＩ及びＮ個のＣＱＩを含み、チャネル状態情報はＲ個の第１ＰＭＩ及び１個のＣＱＩを含み、Ｒ個の第１ＰＭＩは、第１動作基準に従いＰ個の第２ＰＭＩを決定するために基地局により使用され、第２ＰＭＩの次元は第１ＰＭＩの次元より大きく、Ｐ及びＮは１以上の整数である。
【０１４６】
任意で、チャネル状態情報がＲ個の第１ＰＭＩ及びＮ個のＣＱＩを含む場合、決定モジュール５０１は、具体的に、Ｒ個の第１ＰＭＩ及び第１動作基準に基づき、Ｐ個の第２ＰＭＩ及び／又はＮ個のＣＱＩを決定するよう構成される。
【０１４７】
代替として、チャネル状態情報がＲ個の第１ＰＭＩ及びＣＱＩを含む場合、決定モジュール５０１は、具体的に、Ｒ個の第１ＰＭＩ及び第２動作基準に基づき、１個の第２ＰＭＩ及び１個のＣＱＩを決定するよう構成される。
【０１４８】
任意で、チャネル状態情報がＲ個の第１ＰＭＩ及びＣＱＩを含む場合、チャネル状態情報は、ＣＱＩに対応するＣＱＩインデックス指示子を更に含む。
【０１４９】
任意で、第１動作基準及び第２動作基準は端末のために基地局により構成される、又は第１動作基準及び第２動作基準は、基地局及び端末により予め定められる。
【０１５０】
任意で、第１動作基準及び第２動作基準は、直積、直和、及び補間のうちの少なくとも１つを含む。
【０１５１】
任意で、Ｒ個の第１ＰＭＩは、プリコーディング行列及び／又は第２参照信号リソースのポート数を決定するために基地局により使用される。
【０１５２】
前述のモジュール（決定モジュール５０１及び報告モジュール５０２）は、前述の方法の関連ステップを実行するよう構成されることに留意すべきである。
【０１５３】
本実施形態では、端末５００は、モジュール形式で表現される。ここで、「モジュール」は、特定用途向け集積回路（application-specific  integrated  circuit、ＡＳＩＣ）、１又は複数のソフトウェア又はファームウェアプログラムを実行するプロセッサ及びメモリ、集積論理回路、及び／又は前述の機能を提供可能な別のコンポーネントであって良い。さらに、決定モジュール５０１は、図９のプロセッサ及びメモリを用いて実装されて良い。報告モジュール５０２は、端末と基地局との間の通信インタフェースを用いて、基地局にチャネル状態情報を報告して良い。
【０１５４】
以下は、添付の図面を参照して本発明の実施形態の前述の方法を実装する機器を記載する。
【０１５５】
図６を参照すると、図６は、本発明の一実施形態による別の端末の概略構造図である。
【０１５６】
図６に示すように、端末６００は、決定モジュール６０１と、第２決定モジュール６０２と、報告モジュール６０３と、を含んで良い。
【０１５７】
第１決定モジュール６０１は、チャネル状態情報を決定するよう構成される。ここで、チャネル状態情報は、第１参照信号リソースの第１チャネル状態情報、及び第２参照信号リソースの第２チャネル状態情報を含む。
【０１５８】
第２決定モジュール６０２は、チャネル状態情報の報告モードを決定するよう構成される。
【０１５９】
報告モジュール６０３は、第２決定モジュールにより決定された報告モードに基づき、チャネル状態情報を報告するよう構成される。
【０１６０】
任意で、第１参照信号リソースの期間は、第２参照信号リソースの期間より大きい又は等しく、第１参照信号リソースのサブフレームオフセットは、第２参照信号リソースのサブフレームオフセットと異なる。
【０１６１】
任意で、第１参照信号リソースの測定限度シグナリング及び第２参照信号リソースの測定限度シグナリングは、独立して構成される。
【０１６２】
任意で、各第１参照信号リソース及び／又は各第２参照信号リソースの送信及び／又は測定制限は、上位レイヤシグナリング又はレイヤ１シグナリングを用いて基地局により通知される。
【０１６３】
任意で、第２決定モジュールは、具体的に、フィードバック種類指示子に基づき、チャネル状態情報を報告する報告モードを決定するよう構成される。
【０１６４】
任意で、チャネル状態情報はランク指示子ＲＩを含み、第２決定モジュールは、具体的に、ＲＩを測定する方法に基づき、チャネル状態情報の報告モードを決定するよう構成される。
【０１６５】
任意で、第１チャネル状態情報は、ランク指示子及び第１プリコーディング行列指示子のうちの少なくとも１つを含み、第２チャネル状態情報は、参照信号リソースインデックス、チャネル品質指示子、及び第２プリコーディング行列指示子のうちの少なくとも１つを含む；又は、
第１チャネル状態情報は、ランク指示子、第１プリコーディング行列指示子、及び第２プリコーディング行列指示子のうちの少なくとも１つを含み、第２チャネル状態情報は、ランク指示子、参照信号リソースインデックス、チャネル品質指示子、第１プリコーディング行列指示子、及び第２プリコーディング行列指示子のうちの少なくとも１つを含む；又は、
第１チャネル状態情報は、ランク指示子、チャネル品質指示子、第１プリコーディング行列指示子、及び第２プリコーディング行列指示子のうちの少なくとも１つを含み、第２チャネル状態情報は、ランク指示子、参照信号リソースインデックス、チャネル品質指示子、第１プリコーディング行列指示子、及び第２プリコーディング行列指示子のうちの少なくとも１つを含む。
【０１６６】
任意で、第１チャネル状態情報の報告期間は、第２チャネル状態情報の報告期間より長い又はそれに等しい。
【０１６７】
前述のモジュール（第１決定モジュール６０１第２決定モジュール６０２、及び報告モジュール６０３）は、前述の方法の関連ステップを実行するよう構成されることに留意すべきである。
【０１６８】
本実施形態では、端末６００は、モジュール形式で表現される。ここで、「モジュール」は、特定用途向け集積回路（application-specific  integrated  circuit、ＡＳＩＣ）、１又は複数のソフトウェア又はファームウェアプログラムを実行するプロセッサ及びメモリ、集積論理回路、及び／又は前述の機能を提供可能な別のコンポーネントであって良い。さらに、第１決定モジュール６０１及び第２決定モジュール６０２は、図９のプロセッサ及びメモリを用いて実装されて良い。報告モジュール６０３は、端末と基地局との間の通信インタフェースを用いて、基地局にチャネル状態情報を報告して良い。
【０１６９】
以下は、添付の図面を参照して本発明の実施形態の前述の方法を実装する機器を記載する。
【０１７０】
図７を参照すると、図７は、本発明の一実施形態による基地局の概略構造図である。
【０１７１】
図７に示すように、基地局７００は、読み出しモジュール７０１を含み得る。
【０１７２】
読み出しモジュール７０１は、端末により報告されたチャネル状態情報を読み出すよう構成され、チャネル状態情報はＲ個の第１ＰＭＩ及びＮ個のＣＱＩを含み、又はチャネル状態情報はＲ個の第１ＰＭＩ及び１個のＣＱＩを含み、Ｒ個の第１ＰＭＩは、第１動作基準に従いＰ個の第２ＰＭＩを決定するために基地局により使用され、第２ＰＭＩの次元は第１ＰＭＩの次元より大きく、Ｒ、Ｐ及びＮは１以上の整数である。
【０１７３】
任意で、第１動作基準及び第２動作基準は端末のために基地局により構成される、又は第１動作基準及び第２動作基準は、基地局及び端末により予め定められる。
【０１７４】
任意で、第１動作基準及び第２動作基準は、直積、直和、及び補間のうちの少なくとも１つを含む。
【０１７５】
任意で、基地局７００は、Ｒ個の第１ＰＭＩに基づきプリコーディング行列及び／又は第２参照信号リソースのポート数を決定するよう構成される決定モジュール７０２を更に含む。
【０１７６】
前述のモジュール（読み出しモジュール７０１及び決定モジュール７０２）は、前述の方法の関連ステップを実行するよう構成されることに留意すべきである。
【０１７７】
本実施形態では、基地局７００は、モジュール形式で表現される。ここで、「モジュール」は、特定用途向け集積回路（application-specific  integrated  circuit、ＡＳＩＣ）、１又は複数のソフトウェア又はファームウェアプログラムを実行するプロセッサ及びメモリ、集積論理回路、及び／又は前述の機能を提供可能な別のコンポーネントであって良い。さらに、決定モジュール７０１は、図９のプロセッサ及びメモリを用いて実装されて良い。読み出しモジュール７０１は、基地局の通信インタフェースを用いて、端末により報告されたチャネル状態情報を読み出して良い。
【０１７８】
以下は、添付の図面を参照して本発明の実施形態の前述の方法を実装する機器を記載する。
【０１７９】
図８を参照すると、図８は、本発明の一実施形態による別の基地局の概略構造図である。
【０１８０】
図８に示すように、基地局８００は、読み出しモジュール８０１を含み得る。
【０１８１】
読み出しモジュールは、端末により報告されたチャネル状態情報を読み出すよう構成され、チャネル状態情報は、第１参照信号リソースの第１チャネル状態情報及び第２参照信号リソースの第２チャネル状態情報を含み、チャネル状態情報の報告モードは、チャネル状態情報に基づき端末により決定される。
【０１８２】
任意で、第１参照信号リソースの期間は、第２参照信号リソースの期間より大きい又は等しく、第１参照信号リソースのサブフレームオフセットは、第２参照信号リソースのサブフレームオフセットと異なる。
【０１８３】
任意で、第１参照信号リソースの測定制限シグナリング及び第２参照信号リソースの測定制限シグナリングは、独立して構成される。
【０１８４】
任意で、各第１参照信号リソース及び／又は各第２参照信号リソースの送信及び／又は測定制限は、上位レイヤシグナリング又はレイヤ１シグナリングを用いて基地局により通知される。
【０１８５】
前述のモジュール（読み出しモジュール８０１）は、前述の方法の関連ステップを実行するよう構成されることに留意すべきである。
【０１８６】
本実施形態では、基地局８００は、モジュール形式で表現される。ここで、「モジュール」は、特定用途向け集積回路（application-specific  integrated  circuit、ＡＳＩＣ）、１又は複数のソフトウェア又はファームウェアプログラムを実行するプロセッサ及びメモリ、集積論理回路、及び／又は前述の機能を提供可能な別のコンポーネントであって良い。さらに、読み出しモジュール８０１は、基地局の通信インタフェースを用いて、端末により報告されたチャネル状態情報を読み出して良い。
【０１８７】
図９に示すように、端末５００、端末６００、基地局７００、及び基地局８００は、図９に示す通信装置の構造を用いて実装されて良い。通信装置９００は、少なくとも１つのプロセッサ９０１、少なくとも１つのメモリ９０２、及び少なくとも１つの通信インタフェース９０３を含む。さらに、通信装置９００は、アンテナのような汎用コンポーネントを更に含み得る。詳細事項は、ここで記載されない。
【０１８８】
プロセッサ９０１は、汎用中央処理ユニット（ＣＰＵ）、マイクロプロセッサ、特定用途向け集積回路（Application  Specific  Integrated  Circuit、ＡＳＩＣ）、又は、前述のソリューションのプログラム実行を制御するよう構成される１又は複数の集積回路であって良い。
【０１８９】
通信インタフェース９０３は、別の装置、又はイーサネットネットワーク、無線アクセスネットワーク（ＲＡＮ）、又は無線ローカルエリアネットワーク（Wireless  Local  Area  Network、ＷＬＡＮ）のような通信ネットワークと通信するよう構成される。
【０１９０】
メモリ９０２は、読み出し専用メモリ（read-only  memory、ＲＯＭ）、静的情報及び命令を格納し得る別の種類の静的記憶装置、ランダムアクセスメモリ（random  access  memory、ＲＡＭ）、又は情報及び命令を格納し得る別の種類の動的記憶装置であって良く、又は電気的消去可能なプログラマブル読み出し専用メモリ（Electrically  Erasable  Programmable  Read-Only  Memory、ＥＥＰＲＯＭ）、コンパクトディスク読み出し専用メモリ（Compact  Disc  Read-Only  Memory、ＣＤ−ＲＯＭ）、別のコンパクトディスク記憶、光ディスク記憶（コンパクトディスク、レーザディスク、光ディスク、デジタルバーサタイルディスク、ブルーレイディスク、等を含む）、ディスク記憶媒体又は別の磁気記憶装置、又は命令若しくはデータの構造型の予測プログラムコードを伝達し又は格納するために使用可能な且つコンピュータによりアクセス可能な任意の他の媒体であって良い。しかしながら、これはこれらに限定されない。メモリは、独立に存在して良く、バスを用いてプロセッサに接続される。代替として、メモリは、プロセッサに統合されて良い。
【０１９１】
メモリ９０２は、前述のソリューションを実行するために使用されるアプリケーションプログラムコードを格納するよう構成され、プロセッサ８０１はプログラムコードを制御し実行する。プロセッサ９０１は、メモリ８０２に格納されたアプリケーションプログラムコードを実行するよう構成される。
【０１９２】
図９に示す通信装置が端末である場合、メモリ９０２に格納されたコードは、上記で提供された端末により実行されるチャネル状態情報報告方法を実行するために使用されて良い。例えば、端末は、Ｍ個の第１参照信号リソースのＲ個の第１プリコーディング行列指示子ＰＭＩを決定し、Ｒ個の第１ＰＭＩに基づきチャネル品質指示子ＣＱＩを決定する。最後に、端末は、チャネル状態情報を報告する。ここで、チャネル状態情報はＲ個の第１ＰＭＩ及びＮ個のＣＱＩを含み、又は、チャネル状態情報はＲ個の第１ＰＭＩ及び１個のＣＱＩを含み、Ｒ個の第１ＰＭＩは、第１動作基準に従いＰ個の第２ＰＭＩを決定するために基地局により使用され、第２ＰＭＩの次元は第１ＰＭＩの次元より大きい。
【０１９３】
図９に示す通信装置が端末である場合、メモリ９０２に格納されたコードは、上記で提供された端末により実行されるチャネル状態情報報告方法を実行するために使用されて良い。例えば、端末は、チャネル状態情報を決定する。ここで、チャネル状態情報は、第１参照信号リソースの第１チャネル状態情報、及び第２参照信号リソースの第２チャネル状態情報を含む。次に、端末は、チャネル状態情報の報告モードを決定し、該報告モードに基づきチャネル状態情報を報告する。
【０１９４】
図９に示す通信装置が基地局である場合、メモリ９０２に格納されたコードは、上記で提供された基地局により実行されるチャネル状態情報読み出し方法を実行するために使用されて良い。例えば、基地局は、端末により報告されたチャネル状態情報を読み出す。ここで、チャネル状態情報はＲ個の第１ＰＭＩ及びＮ個のＣＱＩを含み、又は、チャネル状態情報はＲ個の第１ＰＭＩ及び１個のＣＱＩを含み、Ｒ個の第１ＰＭＩは、第１動作基準に従いＰ個の第２ＰＭＩを決定するために基地局により使用され、第２ＰＭＩの次元は第１ＰＭＩの次元より大きい。
【０１９５】
図９に示す通信装置が基地局である場合、メモリ９０２に格納されたコードは、上記で提供された基地局により実行されるチャネル状態情報読み出し方法を実行するために使用されて良い。例えば、基地局は、端末により報告されたチャネル状態情報を読み出す。ここで、チャネル状態情報は、第１参照信号リソースの第１チャネル状態情報及び第２参照信号リソースの第２チャネル状態情報を含み、チャネル状態情報の報告モードは、チャネル状態情報に基づき端末により決定される。
【０１９６】
図９に示す通信装置が基地局である場合、プロセッサ９０１は、基地局のオンボードにあるプロセッサであって良く、又は基地局のオンボードにある１又は複数の集積回路若しくはチップであって良い。さらに、メモリ８０２は、プロセッサ８０１に統合されて良く、又は、メモリ９０２及びプロセッサ９０１は別個に配置されて良い。
【０１９７】
本発明の一実施形態は、コンピュータ記憶媒体を更に提供する。コンピュータ記憶媒体はプログラムを格納して良い。プログラムが実行されると、方法の実施形態において記録されたチャネル状態情報報告方法及びチャネル状態情報読み出し方法のうちのいずれか１つの一部又は全部のステップが含まれる。
【０１９８】
留意すべきことに、説明を簡単にするために、前述の方法の実施形態は、一連の動作として表現された。しかしながら、当業者は、本発明に従い幾つかのステップが他の順序で実行され又は同時に実行されて良いので、本発明が記載された動作シーケンスに限定されないことを理解すべきである。さらに、当業者は、明細書に記載の全ての実施形態は例示的な実施形態であり、関連する動作及びモジュールは必ずしも本発明に必須ではないことも理解すべきである。
【０１９９】
前述の実施形態では、各実施形態の記載はそれぞれの焦点を有する。ある実施形態において詳細に記載されない部分については、他の実施形態における関連する記載を参照する。
【０２００】
本願において提供される幾つかの実施形態では、開示の機器は他の方法で実装されて良いことが理解されるべきである。例えば、記載した装置の実施形態は単なる一例である。例えば、ユニットの分割は、単なる論理的機能の区分であり、実際の実装では他の区分であって良い。例えば、複数のユニット又はコンポーネントは、別のシステムに結合又は統合されて良い。或いは、幾つかの機能は無視されるか又は実行されなくて良い。さらに、表示した又は議論した相互結合又は直接結合又は通信接続は、幾つかのインタフェースを通じて実装されても良い。装置又はユニット間の間接結合又は通信接続は、電子的又は他の形式で実装されても良い。
【０２０１】
別個の部分として記載されたユニットは、物理的に別個であって良く又はそうでなくて良い。また、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に基づき選択されて良い。
【０２０２】
さらに、本発明の実施形態における機能ユニットは、１つの処理ユニットに統合されて良く、或いは各ユニットが物理的に単独で存在して良く、或いは２以上のユニットが１つのユニットに統合されて良い。統合ユニットは、ハードウェアの形式で実装されて良く、ソフトウェア機能ユニットの形式で実装されて良い。
【０２０３】
統合ユニットがソフトウェア機能ユニットの形式で実装され、独立した製品として販売され又は使用されるとき、統合ユニットは、コンピュータ可読記憶装置に格納されて良い。このような理解に基づき、本発明の基本的技術的ソリューション、又は従来技術に貢献する部分、又は全部又は一部の技術的ソリューションは、ソフトウェア製品の形式で実施されても良い。ソフトウェア製品は、記憶装置に格納され、コンピュータ装置（パーソナルコンピュータ、サーバ、ネットワーク装置、等であって良い）に、本発明の実施形態で記載された方法のステップの全部又は一部を実行させる複数の命令を含む。前述の記憶媒体は、ＵＳＢフラッシュドライブ、読み出し専用メモリ（ROM、Read-Only  Memory）、ランダムアクセスメモリ（RAM、Random  Access  Memory）、取り外し可能ハードディスク、磁気ディスク又は光ディスクのような、プログラムコードを格納可能な任意の媒体を含む。
【０２０４】
当業者は、実施形態における方法のステップの全部又は一部が関連するハードウェアに指示するプログラムにより実装されて良いことを理解する。プログラムは、コンピュータ可読記憶装置に格納されて良い。記憶装置は、フラッシュメモリ、読み出し専用メモリ（英語名：Read-Only  Memory、略してROM）、ランダムアクセスメモリ（英語名：Random  Access  Memory、略してRAM）、磁気ディスク、光ディスク等を含み得る。
【０２０５】
本発明の実施形態は以上に詳細に記載された。本発明の原理及び実装は特定の例を用いて本願明細書に記載された。実施形態に関する記載は、単に本発明の方法及び核となる思想の理解を助けるために提供された。さらに、当業者は、本発明の思想に従い、特定の実装及び適用範囲の観点で、本発明に対する変形を行うことができる。したがって、本願明細書の内容は、本開示に対する限定として考えられるべきではない。
【図１】
2019521570.tif 000005
【図２】
2019521570.tif 000006
【図３Ａ】
2019521570.tif 000007
【図３Ｂ】
2019521570.tif 000008
【図４】
2019521570.tif 000009
【図５】
2019521570.tif 000010
【図６】
2019521570.tif 000011
【図７】
2019521570.tif 000012
【図８】
2019521570.tif 000013
【図９】
2019521570.tif 000014
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
チャネル状態情報報告方法であって、
端末により、Ｍ個の第１参照信号リソースのＲ個の第１プリコーディング行列指示子ＰＭＩを決定し、前記Ｒ個の第１ＰＭＩに基づきチャネル品質指示子ＣＱＩを決定するステップであって、Ｍ及びＲは１以上の整数である、ステップと、
前記端末により、チャネル状態情報を報告するステップであって、前記チャネル状態情報は、前記Ｒ個の第１ＰＭＩ及びＮ個のＣＱＩを有し、又は前記チャネル状態情報は、前記Ｒ個の第１ＰＭＩ及び１個のＣＱＩを含み、前記Ｒ個の第１ＰＭＩは、第１動作基準に従いＰ個の第２ＰＭＩを決定するために基地局により使用され、前記第２ＰＭＩの次元は前記第１ＰＭＩの次元より大きく、Ｐ及びＮは１以上の整数である、ステップと、
を含む方法。
【請求項２】
前記チャネル状態情報が前記Ｒ個の第１ＰＭＩ及び前記Ｎ個のＣＱＩを含む場合、前記Ｒ個の第１ＰＭＩに基づきチャネル品質指示子ＣＱＩを決定する前記ステップは、
前記端末により、前記Ｒ個の第１ＰＭＩ及び前記第１動作基準に基づき、前記Ｐ個の第２ＰＭＩ及び／又は前記Ｎ個のＣＱＩを決定するステップを含む、又は、
前記チャネル状態情報が前記Ｒ個の第１ＰＭＩ及び前記ＣＱＩを含む場合、前記Ｒ個の第１ＰＭＩに基づきチャネル品質指示子ＣＱＩを決定する前記ステップは、
前記端末により、前記Ｒ個の第１ＰＭＩ及び第２動作基準に基づき、１個の第２ＰＭＩ及び１個のＣＱＩを決定するステップを含む、
請求項１に記載の方法。
【請求項３】
前記チャネル状態情報が前記Ｒ個の第１ＰＭＩ及び前記ＣＱＩを含む場合、前記チャネル状態情報は、前記ＣＱＩに対応するＣＱＩインデックス指示子を更に含む、請求項１又は２に記載の方法。
【請求項４】
前記第１動作基準及び前記第２動作基準は前記端末のために前記基地局により構成される、又は前記第１動作基準及び前記第２動作基準は、前記基地局及び前記端末により予め定められる、請求項２に記載の方法。
【請求項５】
前記第１動作基準及び前記第２動作基準は、直積、直和、及び補間のうちの少なくとも１つを含む、請求項２又は４に記載の方法。
【請求項６】
チャネル状態情報報告方法であって、
端末により、チャネル状態情報を決定するステップであって、前記チャネル状態情報は、第１参照信号リソースの第１チャネル状態情報及び第２参照信号リソースの第２チャネル状態情報を含む、ステップと、
前記端末により、前記チャネル状態情報の報告モードを決定し、前記報告モードに基づき前記チャネル状態情報を報告するステップと、
を含む方法。
【請求項７】
前記第１参照信号リソースの期間は、前記第２参照信号リソースの期間より大きい又は等しく、前記第１参照信号リソースのサブフレームオフセットは、前記第２参照信号リソースのサブフレームオフセットと異なる、請求項６に記載の方法。
【請求項８】
前記第１参照信号リソースの測定制限シグナリング及び前記第２参照信号リソースの測定制限シグナリングは、独立して構成される、請求項６又は７に記載の方法。
【請求項９】
各第１参照信号リソース及び／又は各第２参照信号リソースの送信及び／又は測定制限は、上位レイヤシグナリング又はレイヤ１シグナリングを用いて基地局により通知される、請求項６乃至８のいずれか一項に記載の方法。
【請求項１０】
前記端末により、前記チャネル状態情報を報告する報告モードを決定する前記ステップは、
前記端末により、フィードバック種類指示子に基づき、前記チャネル状態情報を報告する前記報告モードを決定するステップを含む、請求項６乃至９のいずれか一項に記載の方法。
【請求項１１】
端末であって、
Ｍ個の第１参照信号リソースのＲ個の第１プリコーディング行列指示子ＰＭＩを決定し、前記Ｒ個の第１ＰＭＩに基づきチャネル品質指示子ＣＱＩを決定するよう構成される決定モジュールであって、Ｍ及びＲは１以上の整数である、決定モジュールと、
チャネル状態情報を報告するよう構成される報告モジュールであって、前記チャネル状態情報は、前記Ｒ個の第１ＰＭＩ及びＮ個のＣＱＩを含み、又は前記チャネル状態情報は、前記Ｒ個の第１ＰＭＩ及び１個のＣＱＩを含み、前記Ｒ個の第１ＰＭＩは、第１動作基準に従いＰ個の第２ＰＭＩを決定するために基地局により使用され、前記第２ＰＭＩの次元は前記第１ＰＭＩの次元より大きく、Ｐ及びＮは１以上の整数である、報告モジュールと、
を含む端末。
【請求項１２】
前記チャネル状態情報が前記Ｒ個の第１ＰＭＩ及び前記Ｎ個のＣＱＩを含む場合、前記決定モジュールは、具体的に、前記Ｒ個の第１ＰＭＩ及び前記第１動作基準に基づき、前記Ｐ個の第２ＰＭＩ及び／又は前記Ｎ個のＣＱＩを決定するよう構成される、又は、
前記チャネル状態情報が前記Ｒ個の第１ＰＭＩ及び前記ＣＱＩを含む場合、前記決定モジュールは、具体的に、前記Ｒ個の第１ＰＭＩ及び第２動作基準に基づき、１個の第２ＰＭＩ及び１個のＣＱＩを決定するよう構成される、
請求項１１に記載の端末。
【請求項１３】
前記チャネル状態情報が前記Ｒ個の第１ＰＭＩ及び前記ＣＱＩを含む場合、前記チャネル状態情報は、前記ＣＱＩに対応するＣＱＩインデックス指示子を更に含む、請求項１１又は１２に記載の端末。
【請求項１４】
前記第１動作基準及び前記第２動作基準は前記端末のために前記基地局により構成される、又は前記第１動作基準及び前記第２動作基準は、前記基地局及び前記端末により予め定められる、請求項１２に記載の端末。
【請求項１５】
前記第１動作基準及び前記第２動作基準は、直積、直和、及び補間のうちの少なくとも１つを含む、請求項１２又は１４に記載の端末。
【請求項１６】
端末であって、
チャネル状態情報を決定するよう構成される第１決定モジュールであって、前記チャネル状態情報は、第１参照信号リソースの第１チャネル状態情報及び第２参照信号リソースの第２チャネル状態情報を含む、第１決定モジュールと、
前記チャネル状態情報の報告モードを決定するよう構成される第２決定モジュールと、
前記第２決定モジュールにより決定された前記報告モードに基づき、前記チャネル状態情報を報告するよう構成される報告モジュールと、
を含む端末。
【請求項１７】
前記第１参照信号リソースの期間は、前記第２参照信号リソースの期間より大きい又は等しく、前記第１参照信号リソースのサブフレームオフセットは、前記第２参照信号リソースのサブフレームオフセットと異なる、請求項１６に記載の端末。
【請求項１８】
前記第１参照信号リソースの測定制限シグナリング及び前記第２参照信号リソースの測定制限シグナリングは、独立して構成される、請求項１６又は１７に記載の端末。
【請求項１９】
各第１参照信号リソース及び／又は各第２参照信号リソースの送信及び／又は測定制限は、上位レイヤシグナリング又はレイヤ１シグナリングを用いて基地局により通知される、請求項１６乃至１８のいずれか一項に記載の端末。
【請求項２０】
前記第２決定モジュールは、具体的に、フィードバック種類指示子に基づき、前記チャネル状態情報を報告する前記報告モードを決定するよう構成される、請求項１６乃至１９のいずれか一項に記載の端末。
【国際調査報告】
2019521570.tif 000015
2019521570.tif 000016
2019521570.tif 000017
2019521570.tif 000018
2019521570.tif 000019
2019521570.tif 000020